(57)【要約】モバイルネットワークシステム情報を伝達するために、変調されたデータの修正されたデータマッチングを提供することがここに記述される。例として、データオフセットのようなレートマッチング状態は、無線信号のリソースに変調される、符号化されたデータストリームに導入されうる。状態は、送信アンテナ構成のような、ネットワークシステムの状態とさらに相関がある。無線信号を受信している端末は、レートマッチング状態を識別するために信号を分析し、相関したネットワークシステム状態を得ることができる。端末のコンポーネントはその後、特定のネットワークシステム状態に従って構成され得て、アクセスポイント検出を改善、ある場合では、改善されたチャネルスループットと信頼性とをもたらす。
2010538586.tif 000002
【特許請求の範囲】
【請求項１】
無線信号を複数のリソースに分割し、
データストリームを前記無線信号のリソースにレートマッチングする際に少なくとも１つの異なるデータオフセットを採用することによって無線ネットワークシステム情報を伝達することを具備する無線通信の方法。
【請求項２】
前記データストリームとしてプライマリブロードキャストチャネル（ＰＢＣＨ）の複数のビットシーケンスを採用することをさらに具備する請求項１の方法。
【請求項３】
前記少なくとも１つの異なるデータオフセットを採用することによって、前記ネットワークシステムの異なる送信アンテナ構成を伝達することをさらに具備する請求項１の方法。
【請求項４】
前記少なくとも１つの異なるデータオフセットを採用することによって、前記ネットワークシステムの送信アンテナの数を伝達することをさらに具備する請求項１の方法。
【請求項５】
前記少なくとも１つの異なるデータオフセットを備える前記ネットワークシステムの異なる状態を表すことをさらに具備する請求項１の方法。
【請求項６】
前記少なくとも１つの異なるデータオフセットを備える送信アンテナ構成の異なる状態を表すことをさらに具備する請求項１の方法。
【請求項７】
レートマッチングにおいて前記少なくとも１つの異なるデータオフセットを採用することは、前記ネットワークシステムの異なる状態に関する出力ストリームの相違するビット位置に、前記データストリームの第１ビットを書き込むことをさらに具備し、前記出力ストリームは前記無線信号の前記リソースにマッピングされる請求項１に記載の方法。
【請求項８】
レートマッチングにおいて前記少なくとも１つの異なるデータオフセットを採用することは、前記ネットワークシステムの相違する状態に関する出力ストリームの第１位置に、前記データストリームの相違するビットをマッピングすることをさらに具備し、前記出力ストリームは前記無線信号の前記リソースにマッピングされる請求項１の方法。
【請求項９】
第１送信アンテナ構成に関する前記データストリームの第Ｎ１ビット、第２送信アンテナ構成に関する前記データストリームの第Ｎ２ビット、または、第３送信アンテナ構成に関する前記データストリームの第Ｎ３ビット、の少なくとも１つを前記出力ストリームの前記第１位置に書き込むことをさらに具備し、Ｎ１、Ｎ２およびＮ３は前記データストリームの相違するビットを表す請求項８の方法。
【請求項１０】
前記少なくとも１つの異なるデータオフセットとして３つの異なるデータオフセットを採用することをさらに具備し、前記３つのデータオフセットは以下の
【数１】
2010538586.tif 000015
ように送信アンテナ構成の数を表すことをさらに具備する請求項１の方法。
【請求項１１】
前記無線信号の前記リソースに書き込まれるレートマッチング出力シーケンスを生成することをさらに具備し、前記レートマッチング出力シーケンスは、少なくとも部分的に以下の式
【数２】
2010538586.tif 000016
を採用するデータストリームシーケンスから生成される請求項１０の方法。
【請求項１２】
無線信号を複数のリソースに分割する信号パーサーと、
データストリームを前記無線信号のリソースにレートマッチングする際に少なくとも１つの異なるデータオフセットを採用することによって無線ネットワークシステム情報を伝達する信号プロセッサと、
前記信号プロセッサと接続されるメモリと、を具備する無線通信のために構成される装置。
【請求項１３】
前記信号プロセッサは、前記データストリームとしてプライマリブロードキャストチャネル（ＰＢＣＨ）の複数のビットシーケンスを採用する請求項１２の装置。
【請求項１４】
前記信号プロセッサは、前記少なくとも１つの異なるデータオフセットを採用することによって、前記ネットワークシステムの異なる送信アンテナ構成を伝達する請求項１２の装置。
【請求項１５】
前記信号プロセッサは、前記少なくとも１つの異なるデータオフセットを採用することによって、前記ネットワークシステムの送信アンテナの数を伝達する請求項１２の装置。
【請求項１６】
前記信号プロセッサは、前記少なくとも１つの異なるデータオフセットを備える前記ネットワークシステムの異なる状態を表す請求項１２の装置。
【請求項１７】
前記信号プロセッサは、前記少なくとも１つの異なるデータオフセットを備える送信アンテナ構成の異なる状態を表す請求項１２の装置。
【請求項１８】
前記ネットワークシステムの異なる状態に関する出力ストリームの相違するビット位置に、前記データストリームの第１ビットを書き込むマッピングモジュールをさらに具備し、前記出力ストリームは前記無線信号の前記リソースにマッピングされる請求項１２に記載の装置。
【請求項１９】
マッピングモジュールは、前記ネットワークシステムの異なる状態に関する出力ストリームの第１ビット位置に、前記データストリームの相違するビットを書き込み、
前記信号プロセッサは、前記出力ストリームを前記無線信号の前記リソースに変調する請求項１２の装置。
【請求項２０】
前記マッピングモジュールは、第１送信アンテナ構成に関する前記データストリームの第Ｎ１ビット、第２送信アンテナ構成に関する前記データストリームの第Ｎ２ビット、または、第３送信アンテナ構成に関する前記データストリームの第Ｎ３ビット、の少なくとも１つを前記出力ストリームの前記第１ビット位置に書き込み、Ｎ１、Ｎ２およびＮ３は前記データストリームの相違するビットを表す請求項１９の装置。
【請求項２１】
前記信号プロセッサは、前記少なくとも１つの異なるデータオフセットとして３つの異なるデータオフセットを採用し、前記３つのデータオフセットは以下の
【数３】
2010538586.tif 000017
ように送信アンテナ構成の数を表す請求項１２の装置。
【請求項２２】
少なくとも部分的に以下の式
【数４】
2010538586.tif 000018
を採用することによってデータストリームシーケンスから、前記無線信号の前記リソースに書き込まれるレートマッチング出力シーケンスを生成するシーケンスモジュールをさらに具備する請求項２１の装置。
【請求項２３】
無線信号を複数のリソースに分割する手段と、
データストリームを前記無線信号のリソースにレートマッチングする際に少なくとも１つの異なるデータオフセットを採用することによって無線ネットワークシステム情報を伝達する手段と、を具備する無線通信のために構成された装置。
【請求項２４】
無線信号を複数のリソースに分割する第１モジュールと、
データストリームを前記無線信号のリソースにレートマッチングする際に少なくとも１つの異なるデータオフセットを採用することによって無線ネットワークシステム情報を伝達する第２モジュールと、を具備する無線通信のために構成されたプロセッサ。
【請求項２５】
無線信号を複数のリソースに分割し、
データストリームを前記無線信号のリソースにレートマッチングする際に少なくとも１つの異なるデータオフセットを採用することによって無線ネットワークシステム情報を伝達するコードを具備するコンピュータ読み取り可能な媒体を具備するコンピュータプログラム製品。
【請求項２６】
受信した無線信号の１以上のリソースにおいて少なくとも１つの異なるデータオフセットを識別し、
前記受信した無線信号からネットワークシステム情報を確認するために、オフセットルールマップに、前記少なくとも１つの異なるデータオフセットをマッピングすることを具備する無線アクセスポイント（ＡＰ）を検出する方法。
【請求項２７】
前記無線信号の送信に関連したアンテナ構成を識別するために、前記ルールマップを採用することをさらに具備する請求項２６の方法。
【請求項２８】
前記無線信号を送信することに関連したアンテナの数を識別するために、前記ルールマップを採用することをさらに具備する請求項２６の方法。
【請求項２９】
１以上の前記データオフセットを得るために前記無線信号の同期信号リソースまたは取得パイロットを分析することをさらに具備する請求項２６の方法。
【請求項３０】
１以上の前記データオフセットを得るために前記無線信号の制御チャネルリソースを分析することをさらに具備する請求項２６の方法。
【請求項３１】
１以上の前記データオフセットを得るために、前記無線信号のトラフィックチャネルリソースを分析することをさらに具備する請求項２６の方法。
【請求項３２】
前記オフセットルールマップを得るために、付加的な無線信号の部分または前記受信した無線信号の部分を参照付けることをさらに具備する請求項２６の方法。
【請求項３３】
前記少なくとも１つの異なるデータオフセットは、符号化されたブロードキャストシーケンスの３つのビット位置のうちの１つを具備する請求項２６の方法。
【請求項３４】
前記３つのビット位置は、前記受信した無線信号に関連した送信アンテナのそれぞれの数にそれぞれ対応する請求項３３の方法。
【請求項３５】
前記３つのビット位置は、１本の送信アンテナ、２本の送信アンテナおよび４本の送信アンテナとそれぞれ対応する請求項３３の方法。
【請求項３６】
前記無線信号から確認される前記ネットワークシステム情報に従って、デバイスの受信機を構成することをさらに具備する請求項２６の方法。
【請求項３７】
無線ＡＰを検出するために構成されたユーザ端末（ＵＴ）であって、
受信した無線信号の１以上のリソースにおいて少なくとも１つの異なるデータオフセットを識別する受信機モジュールと、
データオフセットをネットワークシステム情報に相関付けるオフセットルールマップと、
前記オフセットルールマップと前記少なくとも１つの異なるデータオフセットとを比較することによって、前記ネットワークシステムの状態を確認する相関モジュールと、
前記オフセットルールマップを記憶するメモリと、を具備するユーザ端末。
【請求項３８】
前記相関モジュールは、前記オフセットルールマップと少なくとも１つのデータオフセットとから送信アンテナ構成を確認する請求項３７のユーザ端末。
【請求項３９】
前記相関モジュールは、前記オフセットルールマップと少なくとも１つのデータオフセットとから送信アンテナの数を確認する請求項３７のユーザ端末。
【請求項４０】
前記受信機モジュールは、１以上の前記データオフセットを得るために、前記無線信号の同期信号リソースまたは取得パイロットを分析する請求項３７のユーザ端末。
【請求項４１】
前記受信機モジュールは、１以上の前記データオフセットを得るために、前記無線信号の制御チャネルリソースを分析する請求項３７のユーザ端末。
【請求項４２】
前記受信機モジュールは、１以上の前記データオフセットを得るために、前記無線信号のトラフィックチャネルリソースを分析する請求項３７のユーザ端末。
【請求項４３】
付加的な無線信号の部分または前記受信した無線信号の部分から前記オフセットルールマップを得る参照モジュールをさらに具備する請求項３７のユーザ端末。
【請求項４４】
前記受信機モジュールは、前記少なくとも１つの異なるデータオフセットから、符号化されたブロードキャストシーケンスの３つのビット位置のうちの１つを得る請求項３７のユーザ端末。
【請求項４５】
前記相関モジュールは、前記得られたビット位置から前記受信した無線信号に関連した送信アンテナの数を識別する請求項４４のユーザ端末。
【請求項４６】
前記相関モジュールは、前記得られたビット位置に基づいて１本、２本または４本の送信アンテナを識別する請求項４４のユーザ端末。
【請求項４７】
前記無線信号から確認された前記ネットワークシステム情報に従って前記ＵＴの受信機を構成する受信機構成モジュールをさらに具備する請求項３７のユーザ端末。
【請求項４８】
受信した無線信号の１以上のリソースにおいて少なくとも１つの異なるデータオフセットを識別する手段と、
データオフセットをネットワークシステム情報に相関付ける手段と、
前記少なくとも１つの異なるデータオフセットから前記ネットワークシステムの状態を確認する手段と、を具備する無線ＡＰを検出する装置。
【請求項４９】
受信した無線信号の１以上のリソースにおいて少なくとも１つの異なるデータオフセットを識別する第１モジュールと、
前記受信した無線信号からネットワーク情報を確認するために、前記少なくとも１つの異なるデータオフセットをオフセットルールマップにマッピングする第２モジュールと、を具備する無線ＡＰを検出するように構成された装置。
【請求項５０】
受信した無線信号の１以上のリソースにおいて少なくとも１つの異なるデータオフセットを識別し、
前記受信した無線信号からネットワーク情報を確認するために、前記少なくとも１つの異なるデータオフセットをオフセットルールマップにマッピングするコードを具備するコンピュータ読み取り可能な媒体を具備するコンピュータプログラム製品。
【発明の詳細な説明】
【技術分野】
【０００１】
以下は、一般に無線通信に関し、より詳細には、ユーザ端末でシステム情報のブラインド復号化を円滑にすることに関する。  
本特許出願は、これに関して譲受人にそれぞれに割り当てられ、参照することによりここに明確に組み込まれる２００７年９月６日に出願された、METHOD AND SYSTEM FOR ENABLING EFFICIENT ANTENNA AND P-BCH BLIND DECODING IN E-UTRANと題された、仮出願番号６０／９７０，５０８と、２００７年１２月５日に出願された、METHOD AND SYSTEM FOR ENABLING EFFICIENT ANTENNA AND P-BCH BLIND DECODING IN E-UTRANと題された、仮出願番号６０／９９２，６６８との優先権を主張する。
【背景技術】
【０００２】
無線通信システムは、例えば、音声コンテンツ、データコンテンツなどのような様々な種類の通信コンテンツを備えた遠隔デバイスを提供するために広く展開される。
【０００３】
これらの無線通信システムは、利用可能なシステムリソース（例えば、帯域幅、送信電力）を共有することによって複数のユーザとの通信をサポートすることができる多重接続システムでありうる。そのような接続システムの例は、符号分割多重接続（ＣＤＭＡ）システム、時分割多重接続（ＴＤＭＡ）システム、周波数分割多重接続（ＦＤＭＡ）システム、第３世代パートナーシッププロジェクト（３ＧＰＰ）ロングタームエボリューション（ＬＴＥ）システム、第３世代パートナーシッププロジェクト２（３ＧＰＰ２）ウルトラモバイルブロードバンド（ＵＭＢ）システム、直交周波数分割多重接続（ＯＦＤＭＡ）システムおよび似たようなシステムを含むことができる。
【０００４】
一般的に、無線多重接続通信システムは、複数の無線端末に関する通信を同時にサポートすることができる。各端末は、フォワードリンクおよびリバースリンクでの無線送信を経て１以上の基地局と通信することができる。フォワードリンク（またはダウンリンク）は基地局から端末への通信リンクを呼び、リバースリンク（またはアップリンク）は端末から基地局への通信リンクを呼ぶ。さらに、端末と基地局との間の通信は、単入力単出力（ＳＩＳＯ）システム、多入力単出力（ＭＩＳＯ）システム、多入力多出力（ＭＩＭＯ）システム、その他を経て確立されうる。
【０００５】
ＭＩＭＯシステムは、データ伝送のために複数の（ＮＴ）送信アンテナおよび複数の（ＮＲ）受信アンテナを採用する。ＮＴ個の送信およびＮＲ個の受信アンテナによって形成されたＭＩＭＯチャネルは、ＮＳ個の独立チャネルへ分解されてもよく、空間チャネルとも呼ばれ、ＮＳ≦ｎ｛ＮＴ，ＮＲ｝である。ＮＳ個の独立チャネルのそれぞれは、１つの次元に対応する。複数の送信アンテナおよび受信アンテナによって生成された追加的な次元数が利用される場合、ＭＩＭＯシステムは、改善された性能（例えば、より高いスループット、および／または、より大きな信頼性）を提供することができる。
【０００６】
ＭＩＭＯシステムは、時分割二重（ＴＤＤ）および周波数分割二重（ＦＤＤ）システムをサポートする。ＴＤＤシステムでは、フォワードリンクおよびリバースリンク送信が同じ周波数領域上にあり、相互関係の原理としてリバースリンクチャネルからのフォワードリンクチャネルの推定を可能にする。複数のアンテナがアクセスポイントで利用可能な場合、この推定は、アクセスポイント（例えば、基地局）がフォワードリンクでの送信ビームフォーミング利得を抽出できるようにする。
【発明の概要】
【０００７】
以下は、そのような態様の基本的な理解を提供するために１以上の態様の簡略化された概要を提示する。この概要は、全ての意図された態様の広範囲な要約ではなく、全ての態様の重要な（key）または必須の要素を特定するでもなく、いずれかまたは全ての態様の範囲を線引きするでもないことを意図する。その唯一の目的は、後に提示されるより詳細な説明への前置きとして簡略化した形式で１以上の態様のいくつかの概念を表すことである。
【０００８】
主題開示は、無線通信に含まれる変調信号のレートマッチングを調整することによりネットワークシステム情報を伝達することを提供する。主題開示の少なくとも１つの態様では、データオフセットは、無線信号のリソースに変調される符号化されたデータストリームに導入されうる。データオフセットは、ネットワークシステムの状態を表すことができる。１つの具体例として、１以上のデータオフセットは、（例えば、多入力多出力［ＭＩＭＯ］送信システムの一部として）１以上の送信アンテナ構成状態を表すことができる。例えば、第１データオフセットは、１本の送信アンテナ構成を表すことができ、第２データオフセットは、２本の送信アンテナ構成を表すことができ、第３データオフセットは、４本の送信アンテナ構成を表すことができ、それらまたは同様の組み合わせである。その上、無線端末は、復調されたデータストリームと関連した修正されたレートマッチングを識別するために、到来無線信号を分析するように構成されうる。ルールマップは、システム情報を特定のレートマッチング修正に相関付けることができる。端末の受信アンテナはその後、特定のシステム情報に従い、アクセスポイント検出およびチャネルスループットおよび信頼性を改善するように構成されうる。
【０００９】
主題開示のいくつかの態様によれば、無線通信の方法が提供される。方法は、無線信号を複数のリソースに分割することを具備することができる。方法は、データストリームを無線信号のリソースにレートマッチングする際、少なくとも１つの異なるデータオフセットを採用することによって、無線ネットワークシステム情報を伝達することをさらに具備することができる。
【００１０】
他の態様では、無線通信のために構成される装置が提供される。装置は、無線信号を複数のリソースに分割する信号パーサーを具備することができる。さらに、装置は、データストリームを無線信号のリソースにレートマッチングする際、少なくとも１つの異なるデータオフセットを採用することによって、無線ネットワークシステム情報を伝達する信号プロセッサを具備することができる。その上、装置は、信号プロセッサに接続されるメモリを具備することができる。
【００１１】
１以上の他の付加的な態様によれば、無線通信用に構成される別の装置が開示される。そのような他の装置は、無線信号を複数のリソースに分割する手段を具備することができる。その上、そのような他の装置は、データストリームを無線信号のリソースとレートマッチングする際に、少なくとも１つの異なるデータオフセットを採用することによって、無線ネットワークシステム情報を伝達する手段を具備することができる。
【００１２】
さらに他の態様では、無線通信のために構成されるプロセッサが提供される。プロセッサは、無線信号を複数のリソースに分割する第１モジュールを具備することができる。加えて、プロセッサは、データストリームを無線信号のリソースとレートマッチングする際に、少なくとも１つの異なるデータオフセットを採用することによって、無線ネットワークシステム情報を伝達する第２モジュールを具備することができる。
【００１３】
開示の少なくとも１つの態様によれば、無線通信用に構成されるコード（または、命令と呼ばれる）を具備するコンピュータ読み取り可能な媒体を具備するコンピュータプログラム製品（または、デバイスと呼ばれる）が提供される。命令は、無線信号を複数のリソースに分割するために、少なくとも１つのデバイスで実行可能でありえる。命令は、データストリームを無線信号のリソースとレートマッチングする際に、少なくとも１つの異なるデータオフセットを採用することによって、無線ネットワークシステム情報を伝達する少なくとも１つのデバイスによってさらに実行可能でありえる。
【００１４】
開示のさらなる態様によれば、無線アクセスポイント（ＡＰ）を検出する方法が提供される。方法は、受信した無線信号の１以上のリソースにおいて少なくとも１つの異なるデータオフセットを識別することを具備することができる。その上、方法は、受信した無線信号からネットワークシステム情報を確認するために、オフセットルールマップに少なくとも１つの異なるデータオフセットをマッピングすることを具備することができる。
【００１５】
さらなる態様によれば、無線ＡＰを検出するために構成されるユーザ端末（ＵＴ）が開示される。ＵＴは、受信した無線信号の１以上のリソースにおいて少なくとも１つの異なるデータオフセットを識別する受信機モジュールを具備することができる。さらに、ＵＴは、データオフセットをネットワークシステム情報と相関付けるオフセットルールマップと、オフセットルールマップを記憶するメモリと、を具備することができる。前記に加えて、ＵＴは、少なくとも１つの異なるデータオフセットとオフセットルールマップとを比較することによって、ネットワークシステムの状態を確認する相関モジュールを具備することができる。
【００１６】
１以上の他の態様では、無線ＡＰを検出する装置が提供される。装置は、受信した無線信号の１以上のリソースにおいて少なくとも１つの異なるデータオフセットを識別する手段を具備することができる。さらにまた、装置は、データオフセットをネットワークシステム情報に相関付ける手段を具備することができる。その上、装置は、少なくとも１つの異なるデータオフセットからネットワークシステムの状態を確認する手段を具備することができる。
【００１７】
さらなる態様によれば、無線ＡＰを検出するように構成されるプロセッサが開示される。プロセッサは、受信した無線信号の１以上のリソースにおいて、少なくとも１つの異なるデータオフセットを識別する第１モジュールを具備することができる。さらに、プロセッサは、受信した無線信号からネットワークシステム情報を確認するために、オフセットルールマップに少なくとも１つの異なるデータオフセットをマッピングする第２モジュールを具備することができる。
【００１８】
前記のものに加えて、主題開示のいくつかの態様におけるコード（命令とも呼ばれる）を具備するコンピュータ読み取り可能な媒体を具備するコンピュータプログラム製品（デバイスとも呼ばれる）が開示される。命令は、受信した無線信号の１以上のリソースにおいて、少なくとも１つの異なるデータオフセットを識別するために、少なくとも１つのデバイスによって実行可能でありえる。その上、命令は、受信した無線信号からネットワークシステム情報を確認するために、オフセットルールマップに少なくとも１つの異なるデータオフセットをマッピングすることを、少なくとも１つのデバイスによってさらに実行可能でありえる。
【００１９】
上述したものおよび関連する目的達成のために１つ以上の態様は、以下に完全に記述され、かつ特に特許請求の範囲の中で指摘される特徴を具備する。以下の記述および付属図面は、１つ以上の態様の詳細なある実例となる態様を記述している。しかし、これらの態様は様々な態様の方針が採用しうるほんの数例の様々な方法を示し、記述された態様はそのような態様およびそれらと同等なもの全てを含むことを意図する。
【図面の簡単な説明】
【００２０】
本開示の特徴、性質および利点は、参照文字のようなものが全体を通して対応して同一である図面と共に解釈されるとき、以下に説明される詳細な説明からより明らかになるだろう。
【図１】ここに説明される態様に従う無線通信を提供するシステム例のブロック図。
【図２】無線通信環境での採用に関する通信装置例のブロック図。
【図３】修正されたレートマッチングを利用するネットワークシステム状態を伝達するシステム例のブロック図。
【図４】ネットワークシステム状態を伝達するために修正されたレートマッチングを提供するシステム例のブロック図。
【図５】ブロードキャストデータストリームの修正されたレートマッチングを経て送信（txmit）アンテナ状態を伝達するレートマッチング装置例のブロック図。
【図６】復調されたストリームの修正されたレートマッチングを識別し、ネットワーク状態を決定するように構成されたサンプルユーザ端末（ＵＴ）のブロック図。
【図７】レートマッチングデータオフセットを採用することによって送信アンテナ構成を伝達する基地局例のブロック図。
【図８】ブロードキャストデータストリームの修正されたレートマッチングによってネットワーク状態を伝達するための手順例のフローチャート。
【図９】ブロードキャストデータストリームの修正されたレートマッチングを経て送信アンテナ構成をブロードキャストするための手順例のフローチャート。
【図１０】修正されたレートマッチングを識別し、受信機で送信システム状態を抽出するための一例の手順のフローチャート。
【図１１】復調されたデータストリームにおいてデータオフセットを識別することを経て、送信アンテナ構成のブラインド復号化のためのサンプル手順のフローチャート。
【図１２】ここに開示された態様に従って遠隔デバイス間での無線通信を提供するシステム例のブロック図。
【図１３】開示の態様に従って修正されたレートマッチングを利用するシステム情報を伝達するシステム例のブロック図。
【図１４】受信信号の修正されたレートマッチングに従って送信アンテナ状態をブラインド復号化するシステム例のブロック図。
【発明を実施するための形態】
【００２１】
様々な態様では、図面を参照してここに記述され、参照番号などは全体にわたって構成要素などを参照するために用いられる。以下の記述では、説明のために、多数の具体的詳細は１以上の態様についての完全な理解を提供するために説明される。しかし、そのような１以上の態様をこれらの具体的詳細なしで実施することができることは明白でありうる。他の例では、よく知られている構造およびデバイスは、１以上の態様を記述することを円滑にするためにブロック図の形式で示される。
【００２２】
加えて、開示された様々な態様は以下に記述される。ここでの教示が幅広い種類の形式で具現化されうり、ここに開示された任意の特定構造および／または機能が単に表現するものであることを明らかにすべきである。ここでの教示に基づいて、当業者は、ここに開示された態様を任意の他の態様とは独立して実装することができ、これらの態様の２以上を様々な方法で結合することができることを理解すべきである。例えば、ここに説明される多くの態様を用いて、方法を実施することができ、および／または、装置を実装することができる。加えて、ここに説明される１以上の態様以外または１以上の態様に加えて、機能および／または他の構造を用いて、方法を実施することができ、および／または、装置を実装することができる。例えば、ここに記述される方法、デバイス、システムおよび装置の多くは、端末デバイスでの無線リソース利用の報告と安全な追跡を提供することとの関連で記述される。当業者は、同様の手法が他の通信環境に適用できうることを理解すべきである。
【００２３】
モバイルネットワーク配置において遠隔端末での通信を円滑にするために、ネットワーク基地局は、同期信号および／または取得信号を含む無線信号をブロードキャストする。信号は、システムによって異なるが（例えば、ＵＭＢシステムはＴＤＭ１、ＴＤＭ２およびＴＤＭ３取得パイロットを利用することができるのに対し、ＬＴＥシステムはプライマリ同期チャネル［ＰＳＣ］とセカンダリ同期チャネル［ＳＳＣ］とを利用することができる）、一般的に、モバイル通信に関係する様々な機能を円滑にするデータを含む。そのような機能の例は、基地局に関連するシステムの種類（例えば、ＬＴＥ、ＵＭＢなど）と無線信号をブロードキャストする基地局とを識別すること、信号を復調するための周波数データおよび／または初期タイミングを提供すること、システムに関する初期システムパラメータ（例えば、同期かまたは非同期か、何の時分割二重［ＴＤＤ］分割（partitioning）が用いられるか）を伝達することなどを含む。加えて、無線信号は、モバイルネットワークに登録し、ネットワークと通信するために遠隔端末によって利用される構成情報を提供する制御チャネルを具備する。インバウンドコールの端末を通知させるために利用されるページングサービスは、いくつかのシステムにおいて制御チャネル情報で行われる機能の一例である。
【００２４】
制御チャネルおよびパイロット情報は、無線信号の専用リソース（例えば、時間、周波数）において、しばしば提供される。これは、受信デバイスが、無線信号に関する復調および同期データを得るために予め定められたリソースを確実に分析することができるという点で、利点を提供する。しかし、１つの欠点は、付加的なリソースが初期取得または信号同期に関する他の情報に利用できないかもしれないということである。例えば、モバイルシステムを規定する規格がパイロットおよび制御情報を指定のリソースに提供する場合、規格が確立されたあと、信号はネットワークアーキテクチャにおいて進歩に適応するための能力を制限しているかもしれない。それゆえ、例えば、システムが、規格によって想定されない複数の取得／制御状態、送信状態などを有するために発展する場合、システム状態情報を伝達することは難しくなりえる。
【００２５】
ある特定の問題は、ブラインド復号化によって示される。モバイル機器がマクロネットワークに最初に入るとき、ネットワークからのシステムおよび／またはチャネル情報が、ネットワークと通信するために必要かもしれない。しかし、モバイル機器がネットワークとまだ順応していない場合、情報のいくらかは、ブラインドで、またはチャネルを復号化する方法またはシステム情報がどこの受信信号内で存在するかの特定の命令なしに、復号化されなければならないかもしれない。ブラインド復号化に関する１つのメカニズムは、複数の既知の状態に従って受信信号を分析することである。特定の既知の状態が分析された信号とよく相関している場合、信号と対応する特定の状態が想定されうる。しかし、複数の状態が分析された信号と十分に相関がある場合、この想定は誤報につながることがある。例えば、高い信号対雑音比（ＳＮＲ）が一般的（prevalent）である場合、多重相関は起こることがある。
【００２６】
前述の問題に対処するために、主題開示は、システム情報を伝達するために利用されうるブロードキャスト信号に関して修正されたレートマッチングを提供する。ここに利用されるように、ブロードキャスト信号は、信号を受信するすべての遠隔デバイスに情報を伝達するダウンリンク無線リソースを参照する。ブロードキャスト信号の例は、ブロードキャストチャネル（ＢＣＨ）、プライマリブロードキャストチャネル（ＰＢＣＨ）、ブロードキャスト制御チャネル（ＢＣＣＨ）、ダウンリンク制御チャネル（ＤＬ−ＣＣＨ）、物理ダウンリンク制御チャネル（ＰＤＣＣＨ）および／またはブロードキャスト信号のようなものを含むことができる。システム情報を伝達するために修正されたレートマッチングを採用することによって、付加的なブロードキャストチャネルリソースは典型的には要求されない。それゆえ、例えば、ブラインド復号化されることになっているレートマッチング情報で、データオフセットを利用することができ、上で議論された、誤報の可能性を減少させる結果となる。従って、主題開示は、将来のリリースされるモバイル規格およびアーキテクチャと同様に、レガシーモバイルネットワーク変調を備えて利用されうる。
【００２７】
前述したものの一例として、ダウンリンク信号を送るためのネットワークの送信アンテナ構成を、修正されたレートマッチングを利用して伝達することができる。これは、無線接続ネットワークにおける基地局信号のブラインド復号化および／または基地局検出に関連する問題を軽減することができる。例えば、Ｅ−ＵＴＲＡＮ（エボルブドユニバーサル地上無線アクセスネットワーク）では、ユーザ端末が、初期信号取得で送信アンテナの数をブラインドで検出する。アンテナの数は、ＰＢＣＨを送る際に用いられる送信ダイバーシティモードと関係している。１本のアンテナ構成に関して、送信ダイバーシティがなく、信号は無線信号の連続的なトーンにマッピングされる。２本のアンテナ（dual antenna）構成に関して、空間周波数ブロック符号化スキーム（ＳＦＢＣ）は、信号を一緒に一組とし、相違するトーンを利用している二重チャネルのうちの１つにペアの各信号を送るために採用される。４本のアンテナ（quad antenna）構成に関して、４本のアンテナで信号を送信するために、ＳＦＢＣが周波数切り替え送信ダイバーシティ（ＦＳＴＤ）とともに利用される。相違するサイクリックプリフィックスとフレーム構造組合せとに関して、以下のテーブルはＰＢＣＨ構成を示す。
【表１】
2010538586.tif 000003
【００２８】
ＭＩＭＯおよび関連したシステムで提供される通信特徴を利用し、信号を適切に復号化するために、ユーザ端末は典型的に、何個の送信アンテナが信号を送るための送信機によって利用されているかを最初に決定する。送信アンテナの数が無線信号ではっきりと指定されない場合、ユーザ端末は、送信アンテナの数をブラインド復号化する。ブラインド復号化は、様々なアンテナ構成に関連するパラメータに受信信号の態様を相関付けることを含む。ユーザ端末が、受信信号とよく相関する構成を識別するとき、端末は、構成が適切な構成であると仮定する。それゆえ、例えば、受信信号が２本のアンテナ構成に関連するパラメータとよく相関する場合、端末は２本の送信アンテナ構成を仮定する。
【００２９】
ある無線環境では、例えば、受信機が高い信号雑音比（ＳＮＲ）で無線信号を得る場合、たとえ１つの実際の構成だけが存在しても、複数の構成が信号とよく相関することが可能である。従って、端末は、ブラインド復号化シナリオにおいて間違ったアンテナ構成を復号化するかもしれない。それゆえ、アンテナ構成のいくつかの明白なシグナリングは、受信機で復号化するシステム構成を改善するために有益でありえる。
【００３０】
無線信号へのブロードキャストデータストリーム（例えば、ＰＢＣＨ）の典型的なレートマッチングは、システム構成（例えば、送信アンテナの数）にかかわらず同じ開始周波数トーンを仮定する。主題開示は、システム構成情報を伝達するために、修正されたレートマッチングを提供する。一態様では、オフセットトーン（例えば、ＦＤＭＡシステム用）、オフセットコード（例えば、ＣＤＭＡシステム用）またはリソースオフセットなどは、レートマッチングに実装されうる。レートマッチングは、符号化されたストリームに１以上のデータストリームを符号化し、符号化されたストリームを無線信号のリソースにマッピングすることを含む。符号化されたストリームを無線信号リソースにマッピングするとき、レートマッチングオフセットは、様々なやり方で実装されうる。  
例として、符号化された信号の相違する開始周波数トーンは、無線信号の第１リソースにマッピングされうる。それゆえ、具体例として、修正されたレートマッチングは、１番目、１０番目、または２０番目の周波数トーンのうちの１つを第１リソースにマッピングすることができる。システムの状態は、どのトーンが第１リソースにマッピングされるかについて関連付けられ得て、付加的なシグナリングリソースを要求することなしに受信機に付加的なシステム情報を提供する。代替となる例として、符号化された信号の開始周波数トーンは、無線信号の相違するリソースにマッピングされうる。より具体例として、第１周波数トーンは、システムの３つの相違する状態を表すために、第１リソース、第１０リソースまたは第２０リソースにマッピングされうる。付加的な状態が、上で明瞭化された例に加えて、他のオフセット状態（例えば、１つのオフセットは２つの状態を表すことができ、３つのオフセットは、４つの状態を表すことができるなど）を組み入れることによって伝達されうることを理解すべきである。
【００３１】
従って、主題開示は、上に明瞭にされた例に限定されるべきではなく、むしろ、ここに提供されたコンテキストを通して当業者に知られている他のレートマッチング修正が、主題開示に組み込まれる。
【００３２】
別の例では、例えば、第３世代パートナーシッププロジェクトロングタームエボリューション（３ＧＰＰ ＬＴＥ）または他の適切なネットワークでは、修正されたレートマッチングは、ＰＤＣＣＨブラインド復号化とともにシステムデータを提供するために実行されうる。あるＰＤＣＣＨペイロードサイズ（例えば、４８ビットのペイロード）では、多重復号化の仮定は、いくつかの（例えば、高いＳＮＲが受信機で観測される）状況においてうまく復号化されうる。そのような結果は、あやまった仮定の選択につながることがあり、システム操作において問題を引き起こす。従って、開示された主題は、下でさらに詳細に記述されるデータオフセットのような、修正されたレートマッチングをＰＤＣＣＨによって採用されるトーンの数にリンクすることができる。修正されたレートマッチングは、モバイルデバイスによってより簡単に識別されうり、ＰＤＣＣＨまたは他のＰＤＣＣＨ関連のシステムパラメータのペイロードサイズに関する誤報において大幅な縮小を容易にする。
【００３３】
レートマッチングデータオフセット、または修正されたレートマッチングのための他の手段を採用することにより、ユーザ端末で復号化されるブロードキャストデータストリームは、存在しないシステム状態に非常に低い相関値を有することができる。それゆえ、高いＳＮＲ環境でさえ、それは、不適当なアンテナ構成を復号化する可能性は極めて低くなりえる。従って、修正されたレートマッチングによって、改善されたブラインド復号化は、付加的な信号リソースがＰＢＣＨまたはダウンリンクブロードキャストチャネル（ＤＢＣＨ）に割り当てられることを必要とすることなく提供される。
【００３４】
ここに記述された手法が、ＣＤＭＡ、ＴＤＭＡ、ＦＤＭＡ、ＯＦＤＭＡ、ＳＣ−ＦＤＭＡ（単一キャリアＦＤＭＡ）および他のシステムのような、様々な無線通信システムのために用いられてもよい。用語“ｓｙｓｔｅｍ”と“ｎｅｔｗｏｒｋ”とが、しばしば置き換え可能に用いられる。ＣＤＭＡシステムは、ユニバーサル地上無線アクセス（ＵＴＲＡ）、ＣＭＤＡ２０００などのような無線技術を実装してもよい。ＵＴＲＡは、広帯域ＣＤＭＡ（Ｗ−ＣＤＭＡ）とＣＤＭＡの他の変形とを含む。ＣＤＭＡ２０００は、ＩＳ−２０００、ＩＳ−９５およびＩＳ−８５６規格をカバーする。ＴＤＭＡシステムは、グローバルシステムフォーモバイルコミュニケーションズ（ＧＳＭ）のような、無線技術を実装してもよい。ＯＦＤＭＡシステムは、発展ＵＴＲＡ（ＥＵＴＲＡ）、ウルトラモバイルブロードバンド（ＵＭＢ）、ＩＥＥＥ ８０２．１１（Ｗｉ−Ｆｉ）、ＩＥＥＥ  ８０２．１６（ＷｉＭＡＸ）、ＩＥＥＥ ８０２．２０、Ｆｌａｓｈ−ＯＦＤＭ（登録商標）などのような無線技術を実装してもよい。ＵＴＲＡとＥＵＴＲＡとは、ユニバーサル移動体通信システム（ＵＭＴＳ）の一部である。ＬＴＥは、Ｅ−ＵＴＲＡを用いるＵＭＴＳの次のリリースであり、ダウンリンクでＯＦＤＭＡおよびアップリンクでＳＣ−ＦＤＭＡを用いる。ＵＴＲＡ、Ｅ−ＵＴＲＡ、ＵＭＴＳ、ＬＴＥおよびＧＳＭは、「３ｒｄ Ｇｅｎｅｒａｔｉｏｎ Ｐａｒｔｎｅｒｓｈｉｐ Ｐｒｏｊｅｃｔ」（３ＧＰＰ）と名付けられた団体からの文献に記述される。ＣＤＭＡ２０００とＵＭＢとは、「３ｒｄ Ｇｅｎｅｒａｔｉｏｎ Ｐａｒｔｎｅｒｓｈｉｐ Ｐｒｏｊｅｃｔ ２」（３ＧＰＰ２）と名付けられた団体からの文献に記述される。
【００３５】
主題開示において用いられるように、“コンポーネント”、“システム”、“モジュール”などは、コンピュータ関連のエンティティであり、ハードウェア、ソフトウェア、実行中のソフトウェア、ファームウェア、ミドルウェア、マイクロコード、および／またはそれらの任意の組み合わせのいずれかを参照するように意図される。例えば、モジュールは、プロセッサで実行中のプロセス、プロセッサ、オブジェクト、実行ファイル、実行のスレッド、プログラム、デバイス、および／またはコンピュータでありうるが、それ自体に限定されない。１以上のモジュールは、処理内および／または実行のスレッド内に属することができ、モジュールは、１つの電子デバイスに局在されうるし、かつ／または２以上の電子デバイス間に分散されうる。さらに、これらのモジュールは、それらに記憶された様々なデータ構造を有する様々なコンピュータ読み取り可能な媒体から実行することができる。
【００３６】
モジュールは、１以上のデータパケット（例えば、ローカルシステム、分散システムにおける別のコンポーネントと相互に作用する１つのコンポーネントからのデータ、および／または、信号によって他のシステムと交信するインターネットのようなネットワークを行き交うデータ）を有する信号に従うような、ローカルおよび／または遠隔処理を経由して通信することができる。さらに、ここに記述されたシステムのコンポーネントまたはモジュールは、当業者によって理解されるように、それらに関して記述され、任意の図で説明される正確な構成に限定されずに、様々な態様、目標、利点などを達成することを円滑にするために、付加的なコンポーネント／モジュール／システムによって補完されおよび／または再配置されうる。
【００３７】
その上、様々な態様は、ユーザ端末−ＵＴに関連してここに記述される。ＵＴは、システム、加入者ユニット、加入者設備、移動局、モバイル、モバイル通信デバイス、モバイルデバイス、遠隔ステーション、遠隔端末、アクセス端末（ＡＴ）、ユーザエージェント（ＵＡ）、ユーザデバイスまたはユーザ機器（ＵＥ）と呼ばれうる。加入者設備は、携帯電話、コードレス電話、セッション設定プロトコル（ＳＩＰ）電話、ワイヤレスローカルループ（ＷＬＬ）局、パーソナルデジタルアシスタンス（ＰＤＡ）、無線接続能力を有するハンドヘルドデバイス、または無線モデムに接続された他の処理デバイスまたは処理デバイスとの無線通信を円滑にする同様のメカニズムでありうる。
【００３８】
１以上の一例となる実施形態では、記述された機能は、ハードウェア、ソフトウェア、ファームウェア、ミドルウェア、マイクロコード、またはそれらの適切な組合せで実装されうる。ソフトウェアに実装される場合、機能は、コンピュータ読み取り可能な媒体での１以上の命令またはコードとして送信され、格納されうる。コンピュータで読み取り可能な媒体は、１つの場所から別の場所へのコンピュータプログラムの転送を円滑にする任意の媒体を含む通信媒体およびコンピュータ記憶媒体の両方を含む。記憶媒体は、コンピュータによってアクセスされうる任意の物理的媒体でもあってもよい。例として、そのようなコンピュータ読み取り可能な媒体は、ＲＡＭ、ＲＯＭ、ＥＥＰＲＯＭ、ＣＤ−ＲＯＭまたは他の光学ディスク記憶装置、磁気ディスク記憶装置、スマートカード、フラッシュメモリデバイス（例えば、カード、スティック、キードライブなど）、または、命令またはデータ構造の形式における所望のプログラムコードを格納しまたは運ぶために用いられ得、コンピュータによってアクセスされうる任意の他の媒体を含むことができるが、限定されない。  
加えて、任意の接続は、コンピュータ読み取り可能な媒体に正確に付与される。例えば、ソフトウェアが、同軸ケーブル、光ファイバーケーブル、ツイストペア、デジタル加入者回線（ＤＳＬ）、または赤外線、無線およびマイクロ波のような無線技術を用いるウェブサイト、サーバまたは他のリモートソースから送られる場合、同軸ケーブル、光ファイバーケーブル、ツイストペア、ＤＳＬ、または赤外線、無線およびマイクロ波のような無線技術は、媒体の定義に含まれる。ここで用いられるディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスクおよびブルーレイディスクを含み、ディスク（disk）は通常磁気的にデータを再生する一方、ディスク（disc）はレーザで光学的にデータを再生する。上記の組合せはまた、コンピュータで読み取り可能な媒体の範囲内に含まれるべきである。
【００３９】
ハードウェア実装のために、ここに開示された態様に関連して記述された処理ユニットの様々な実例となる論理、論理ブロック、モジュールおよび回路は、１つ以上の特定用途向けＩＣ（ＡＳＩＣ）、デジタル信号プロセッサ（ＤＳＰ）、デジタル信号処理装置（ＤＳＰＤ）、プログラム可能論理回路（ＰＬＤ）、フィールドプログラマブルゲートアレイ（ＦＰＧＡ）、離散ゲート（discrete gate）またはトランジスタ論理（transistor logic）、離散ハードウェアコンポーネント、汎用プロセッサ、コントローラ、マイクロコントローラ、マイクロプロセッサ、ここに記述した機能を行うために設計された他の電子ユニット、あるいはそれらの組み合わせの中で行われ、または実装されうる。多目的プロセッサは、マイクロプロセッサでありえるが、代替的に、プロセッサは任意の標準のプロセッサ、コントローラ、マイクロコントローラまたは状態マシンでありうる。プロセッサはまた、コンピューティングデバイスの組み合わせとして、例えば、ＤＳＰとマイクロプロセッサとの組合せ、複数のマイクロプロセッサ、ＤＳＰコアと併せた１以上のマイクロプロセッサ、または任意の適した構成として実装されうる。さらに、少なくとも１つのプロセッサは、ここに記述された１以上のステップおよび（または）動作を行うために動作可能な１以上のモジュールを含むことができる。
【００４０】
その上、ここに記述される様々な態様または特徴は、標準的なプログラミングおよび／またはエンジニアリング手法を用いる方法、装置または製造品として実装されうる。さらに、ここに開示された態様に関連して記述されるアルゴリズムまたは方法の、動作および／またはステップは、ハードウェアで、プロセッサによって実行されるソフトウェアモジュールで、またはその２つの組合せで直接具体化されうる。さらに、いくつかの態様では、アルゴリズムまたは方法の、動作および／またはステップは、コンピュータプログラム製品に組み込まれうるコンピュータ読み取り可能な媒体および／または機械読み取り可能な媒体での命令および／またはコードのセットまたは少なくとも１つまたは任意の組み合わせとして属することができる。ここで用いられるような用語「製造品」は、任意のコンピュータ読み取り可能なデバイスまたは媒体からアクセス可能なコンピュータプログラムを含むことを目的としている。
【００４１】
さらに、語“一例となる”は、例、事例、実例として供給することを意味するために、ここに用いられる。“一例となる”としてここに記述される任意の態様または設計は、必ずしも他の態様または設計で好まれるまたは有利であるとして解釈されるべきではない。むしろ、語“一例となる”の用法は、具体的なやり方において概念を提示することを目的とする。この出願で用いられるように、用語“または”は、排他的な“または”よりむしろ包括的な“ｏｒ”を意味することを目的とする。つまり、文脈から明らかであるか、ほかに指定されない限り、“ＸはＡまたはＢを採用する”は任意の自然な包括的置換を意味すること意図している。つまり、ＸがＡを採用し、Ｘは、Ｂを採用し、または、ＸはＡとＢとの両方を採用する場合、“ＸはＡまたはＢを採用する”は、前述の事例のいずれでも満たされる。加えて、この出願および付属の特許請求の範囲で用いられるような冠詞“ａ”と“ａｎ”とは、単数形であると指示されることが文脈から明らかであるか、ほかに指定されない限り、“１以上の”を意味するとして一般的に解釈されるべきである。
【００４２】
ここに用いられるように、用語“推定する”または“推定”は、イベントおよび／またはデータを経て捕らえられるように観測のセットからのユーザ、および／または、環境、システムの状態を推定すること、または、推理法を一般的にいう。推定は、例えば、指定のコンテキストまたは動作を識別するために採用されえ、または状態での確率分布を生成することができる。推定は、確率的−つまり、データおよびイベントの考慮に基づいた関心のある状態での確率分布の計算でありうる。推定はまた、イベントおよび／またはデータのセットからより高いレベルのイベントを構成するために採用された手法を参照することができる。そのような推定は、イベントが閉じた時間的近接性（close temporal proximity）で相関性があるかどうか、イベントおよびデータが１つまたはいくつかのイベントおよびデータソースに由来するかどうか、観測されたイベントおよび／または記憶されたイベントデータのセットからの新しいイベントまたは動作の構成に起因する。
【００４３】
ここで図面を参照して、図１は、例えば１以上の態様とともに利用されうるような、複数の基地局１１０および複数の端末１２０を備える無線通信システム１００を示す。基地局（１１０）は、一般的に、端末と通信し、アクセスポイント、ノードＢまたはいくつかの他の用語で呼ばれうる固定局である。各基地局１１０は、図１の中の１０２ａ、１０２ｂおよび１０２ｃとラベル付けされた３つの地理的エリアとして示される、特定の地理的エリアまたはサービスエリアに関する通信サービスエリアを提供する。用語“セル”は、用語が用いられる文脈に依存して、基地局および／またはそのサービスエリアを参照することができる。システム能力を改善するために、基地局地理的エリア／サービスエリアは、複数のより小さなエリア（例えば、図１のセル１０２ａによる、３つのより小さなエリア）、１０４ａ、１０４ｂおよび１０４ｃに分割されうる。それぞれのより小さなエリア（１０４ａ、１０４ｂ、１０４ｃ）は、それぞれのベーストランシーバサブシステム（ＢＴＳ）によって供給されうる。用語“セクタ”は、用語が用いられる文脈に従って、ＢＴＳおよび／またはそのサービスエリアを呼ぶことができる。セクタ化されたセルに関して、そのセルの全てのセクタに関するＢＴＳは、セルに関する基地局内で典型的に同一の場所に配置される。ここに記述されたブラインド復号化手法は、複数のセクタ化されていないセル（例えば、より大きい地理的エリアの複数のセル）を備えるシステムと同様に、セクタ化されたセルを備えるシステムに用いられうる。簡単のために、以下の記述において、特に指定されない限り、用語“基地局”は、セルを供給する固定局と同様に、セクタを供給する固定局に一般的に用いられる。加えて、用語“セル”は、複数のセクタを含む地理的セル、または複数のセルを含む地理的エリアを呼ぶために一般的に用いられる。
【００４４】
端末１２０は、システムを通して典型的に分散され、各端末１２０は、固定されうるか、または移動式でありえる。上に議論したように、端末１２０は移動局、ユーザ機器、ユーザデバイスまたはいくつかの他の用語で呼ばれうる。端末１２０は、無線デバイス、携帯電話、パーソナルデジタルアシスタント（ＰＤＡ）、無線モデムカードなどでありうる。各端末１２０は、任意の所定の瞬間でダウンリンクおよびアップリンクでゼロ、１、または複数の基地局１１０で通信することができる。ダウンリンク（またはフォワードリンク）は基地局から端末への通信リンクを呼び、アップリンク（またはリバースリンク）は端末から基地局への通信リンクを呼ぶ。ここで用いられるように、端末１２０がアクティブ通信またはアクティブ登録を管理する基地局は、“サービング基地局”と呼ばれる。
【００４５】
集中化したアーキテクチャに関して、システムコントローラ１３０は基地局１１０に接続し、基地局１１０に調整および制御を提供する。分散したアーキテクチャに関して、基地局１１０は、必要に応じて（例えば、描かれていないバックホールネットワークを通って）お互いに通信することができる。フォワードリンクでのデータ送信は、１つのアクセスポイントから１つのアクセス端末に、フォワードリンクおよび／または通信システムによってサポートされうる最大データレートで、または最大データレート付近でしばしば起こる。フォワードリンクの追加チャネル（例えば、制御チャネル）は、複数のアクセスポイントから１つのアクセス端末に送信されうる。リバースリンクデータ通信は、１つのアクセス端末から１以上のアクセスポイントで起こることがある。
【００４６】
図２は、様々な態様に従うアドホックまたは無計画／半計画された無線通信環境２００の図である。システム２００は、無線通信信号を互いにおよび／または１以上のモバイルデバイス２０４を受信し、送信し、繰り返す１以上のセルおよび／またはセクタに、１以上の基地局２０２を含むことができる。示されるように、各基地局２０２は、２０６ａ、２０６ｂ、２０６ｃおよび２０６ｄとラベル付けされた４つの地理的エリアとして示される、特定の地理的エリアに通信サービスエリアを提供することができる。各基地局２０２は、送信機チェーンおよび受信機チェーンを含んでもよく、それぞれは、言い換えると（in turn）、当業者によって理解されるように、信号の送信および受信に関連する複数のコンポーネント（例えば、プロセッサ、変調器、マルチプレクサ、復号化器、デマルチプレクサ、アンテナなど）を含みうる。モバイルデバイス２０４は、例えば、携帯電話、スマートフォン、ラップトップ、ハンドヘルド通信デバイス、ハンドヘルドコンピューティングデバイス、衛星ラジオ、汎地球測位システム、ＰＤＡおよび／または遠隔デバイスとの無線データ交換のために構成される任意の他の適切なデバイスでありうる。モバイル機器２０４はまた、互いにおよび／またはシステム２００の１以上の基地局２０２に、無線通信信号を受信し、送信し、繰り返すことができることを理解すべきである。ここで説明されるように、システム２００は、システム（２００）構成パラメータを復号化することと、基地局の検出とを円滑にするために、ここに記述される様々な態様とともに用いられうる。
【００４７】
図３は、主題開示の態様に従って、システム情報を伝達するために、修正されたレートマッチングを提供するシステム例３００のブロック図を示す。システム３００は、符号化されたブロードキャストデータストリーム３０４Ａ（例えば、ＰＢＣＨ、ＤＢＣＨなど）を受信し、変調されたブロードキャストデータストリーム３０４Ｂを出力するレートマッチング装置３０２を含むことができる。いくつかの態様では、変調された出力３０４Ｂは、相違するネットワーク状態を表すために、ベースライン出力（例えば、以下の図４を参照）と比較して修正されうる。従って、受信デバイスは、ベースライン出力だけと比較して、高い精度でシステムの状態を識別することができる。
【００４８】
調整された出力ストリーム３０４Ｂのリソースは、無線信号を複数のリソースに分割する信号パーサー３０４によって提供されうる。リソースは、特定の通信ネットワーク（例えば、ＣＭＤＡまたはＣＤＭＡ２００、ＬＴＥ、ＧＳＭ、ＵＭＴＳなど）に適合するように、時間、周波数または符号分割、それらのサブ分割、または前述の組合せなどを含むことができる。信号プロセッサ３０６は、信号パーサー３０４によって提供される無線信号のリソースに符号化されたビットストリームをマッピングすることができる。典型的ベースラインマッピングでは、符号化されたストリームの第１トーン／コード／ビット３０４Ａは、無線信号の第１リソースにマッピングされ、後に続く符号化されたストリームのビット３０４Ａは、無線信号の連続的なリソースにマッピングされる。いくつかの場合、データストリームは、リソースが部分的にまたは全体的に非連続であるかどうかに関わらず、トラフィックの種類に割り当てられる無線信号のリソースだけにマッピングされる。それゆえ、例えば、データストリームが取得データまたは同期データを含む場合、信号プロセッサ３０６は、取得データおよび同期データに割り当てられる無線信号のリソースにトーン／コード／ビットをマッピングすることができ、そのようなデータに割り当てられないリソースをスキップすることができる。別の例として、データストリームが制御チャネル情報を含む場合、信号プロセッサ３０６は、制御チャネル情報に割り当てられる無線信号のリソースにトーン／コード／ビットをマッピングすることができ、マッピングで非制御チャネルリソースをスキップするなどできる。
【００４９】
修正されたレートマッチングでは、信号プロセッサ３０６は、際立った手法で上述の基本的なマッピングから離れる。修正されたマッピングは、ネットワークの状態にマッピングされうる（例えば、送信アンテナ構成、位置、方向性、数など）いくつかの状態を含むことができる。異なるマッピングされた状態を識別することによって、受信機は高い可能性で特定のネットワーク状態を決めることができる。
【００５０】
異なるマッピング状態の一例は、１以上のデータオフセットを含むことができる。データオフセットは、符号化されたデータストリーム３０４Ａ、変調された出力データストリーム３０４Ｂ、またはそれらの組合せに関係がありうる。例えば、符号化されたストリーム３０４Ａの第１トーン／コード／ビットを出力ストリーム３０４Ｂの第１リソースにマッピングすることは、ベースラインオフセット（例えば、非オフセット）を含むことができる。第１以外の符号化されたストリーム３０４Ａの相違するトーン／コード／ビット（例えば、第２ビット、第５ビット、第１０ビットなど）を出力ストリーム３０４Ｂの第１リソースにマッピングすることは、第１非ベースラインオフセットを表すことができる。符号化されたストリーム３０４Ａの（第１ビットおよび相違するビット以外の）第３ビットを出力ストリーム３０４Ｂの第１リソースにマッピングすることは、第２非ベースラインオフセットを表すことができ、全体で３つのオフセット状態（例えば、ベースライン、第１オフセット、第２オフセット）を提供する。一般的な意味では、オフセットは変数Ｑ０、Ｑ１およびＱ２によって表されうる。オフセット変数は、符号化されたストリーム３０４Ａのビット／トーン／コードで表され、出力ストリーム３０４Ｂの第１リソースにマッピングされる。オフセットは、信号プロセッサ３０８によって参照用にメモリ３１０に記憶されうる。さらに、更新されたオフセット値Ｑ０、Ｑ１およびＱ２は、信号プロセッサ３０８によって実装されるデータオフセット構成（例えば、リソースへのビット／トーン／コードのマッピング）を変更するために、記憶されたオフセットに書き込まれうる。さらに、メモリ３１０は、信号プロセッサ３０８で採用されるべき様々な種類のレートマッチング（例えば、オフセット関係の符号化されたストリーム３０４Ａ、オフセット関係の出力ストリーム３０４Ｂ）を指定する修正されたレートマッチングパラメータを記憶することができる。レートマッチングパラメータを更新することによって、信号プロセッサ３０８は、ある種類の修正されたレートマッチングから別のものに切り替えることができる。
【００５１】
代替例では、データオフセットは、符号化されたストリーム３０４Ａよりむしろ出力ストリーム３０４Ｂに関係がありうる。それゆえ、例えば、符号化されたストリーム３０４Ａの第１ビット／トーン／コードは、ベースライン状態に関する出力ストリーム３０４Ｂの第１リソースにマッピングされうる。符号化されたストリーム３０４Ａの第１ビット／トーン／コードは、第１非ベースライン状態を提供するために、出力ストリーム３０４Ｂの相違するリソース（例えば、第２、第３など）にマッピングされうる。さらに、ストリーム３０４Ａの第１ビット／トーン／コードは、第２非ベースライン状態を提供するために、出力ストリーム３０４Ｂの（第１および相違するリソース以外の）第３リソースにマッピングされ得て、全部で３つの状態となる。符号化されたストリーム３０４Ａを変調された出力ストリーム３０４Ｂにレートマッチングする際にデータオフセットを提供することによって、受信機は、相違するシステム状態の送信パラメータ（例えば、１本のアンテナ、２本のアンテナ、４本のアンテナ構成に関する相関値）でベースライン状態（例えば、非オフセット状態）のみを利用するよりも高い精度を備える、復号化されたストリームの相違するシステム状態と区別することができる。前述の例が、上で明白にされた態様に開示を制限するものとして解釈されないことになっていることを理解すべきである。むしろ、（ここに提供された文脈を通して当業者に明らかであり、または技術的に知られている）様々な他のデータオフセット関係または修正されたレートマッチングのメカニズムは、主題開示の一部として検討される。
【００５２】
修正されたレートマッチング状態が信号プロセッサ３０８によって確立されれば、ネットワークシステム状態はそれらのレートマッチング状態と相関性がありうる。それゆえ、例えば、アンテナ数（１、２、４など）は、ベースライン、第１非ベースライン、第２非ベースラインなどのデータオフセット数のようなものと相関性がありうる。相関は、メモリ３１０に記憶されるレートマッチングルールマップに記述されうる。修正された出力信号３０４Ｂが生成されるとすぐに、信号は遠隔端末（描かれず）への送信のために送信機３１２に提供されうる。遠隔端末はまた、受信するとすぐに、信号を復号化する際にルールマップを採用することもできる。それゆえ、無線信号を復号化してレートマッチング状態を決定する際に、相関システム状態（例えば、送信アンテナの数）はまた、ルールマップを参照して決定されうる。従って、システム３００は、結果として、送信機３１２の改善された検出、およびいくつかの場合では、改善された通信品質、スループットおよび信頼性を円滑にすることができる。
【００５３】
図４は、主題開示の態様に従うＥ−ＵＴＲＡＮ環境における信号データストリームに関するレートマッチングを提供するシステム例４００のブロック図を示す。より詳細には、システム４００は１以上の入力データストリームを符号化することができ、結果として生じる符号化されたデータストリームを無線送信機（例えば、参照することにより全体がここに組み込まれる3GPP TS Specification 36.212 v2.0.0[2007-09]、特にセクション５．１．４．２、５．１．４．２．１および５．１．４．２．２）によって送信されうる変調された出力信号にマッピングすることができる。主題開示の態様が他のアクセスネットワーク技術に適用可能であり、開示が以下に記述される特定のＥ−ＵＴＲＡＮ例に限られるべきではないことを理解すべきである。
【００５４】
図４で表されるように、‘Ｎ’ブロードキャストチャネル入力ストリームＤｋ（０）、Ｄｋ（１）、Ｄｋ（Ｎ）（Ｎは正の整数）は、様々なサブブロックインターリーバ４０２、４０４、４０６で受信されうる。入力ストリームは、０、１、…、ｋ−１からのｋビットを含む。サブブロックインターリーバは、出力ストリームの数（例えば、Ｎ）を提供するために、入力ストリームを符号化することができる。一例をあげれば、符号化はＣ列（例えば、Ｃ＝３２）およびＲ行を有する行列を生成することを含む。ここで、Ｒはｋ≦（Ｒ ｘ Ｃ）であるような整数である。入力ビットシーケンス（Ｄｋ（０）、Ｄｋ（１）、Ｄｋ（Ｎ）など）は、行０の列０におけるｙ０から始まる行ごとに、
【数１】
2010538586.tif 000004
【００５５】
のようにＲ ｘ Ｃ行列に書かれうる。行列は、下に示すように記述されうる。
【数２】
2010538586.tif 000005
【００５６】
次に、カラム間置換は、Ｒ ｘ Ｃ行列で行われうる。一例を挙げれば、３ＧＰＰ ＴＳ ３６．２１２ｖ２．０．０仕様書で示されるように、カラム間置換は、下の表１で示されるパターン
【数３】
2010538586.tif 000006
【００５７】
に基づきうる。
【表２】
2010538586.tif 000007
【００５８】
表１によって示される上のパターンに従って、上の行列のインターリーブされたバージョンは、以下の通りに現れうる。
【数４】
2010538586.tif 000008
【００５９】
置換された行列は、サブブロックインターリーバ（４０２、４０４、４０６）、Ｖｋ（Ｎ）の出力シーケンスを生成するために、列ごとに出力されうる。インターリーブされた出力シーケンスＶｋ（Ｎ）のビットは、
【数５】
2010538586.tif 000009
【００６０】
によって示されうる。ここで、Ｖ０（Ｎ）は、ｙＰ（０）に対応し、Ｖ１（Ｎ）は、ｙＰ（０）＋Ｃに対応し、および
【数６】
2010538586.tif 000010
【００６１】
である。
【００６２】
ビット収集ブロック４０８は、サブブロックインターリーバ４０２、４０４、４０６から出力ストリームＶｋ（１）、Ｖｋ（２）、Ｖｋ（Ｎ）を受信し、出力ストリームを循環（circular）バッファ４１０で単一シーケンスｗｋに統合する。いくつかのシステム（例えば、Ｅ−ＵＴＲＡＮ）に関して、循環バッファは、長さ
【数７】
2010538586.tif 000011
【００６３】
を有することができる。さらに、シーケンスｗｋは、以下のようにビット収集ブロック４０８によって生成されうる。
【数８】
2010538586.tif 000012
【００６４】
ビット選択モジュール４１２は、無線信号のリソースにマッピングされ送信機によって送信される出力信号ｅｋに、信号ｗｋをレートマッチすることができる。複数の移動ネットワーク状態間の類似性を最小にするために、ここに記述されるように、信号プロセッサ４１４は、異なる状態を出力信号ｅｋに導入する１以上の修正されたレートマッチング手法を採用することができる。そのような状態は、１以上のネットワーク関連のパラメータまたはネットワーク状態と相関性があり得る。受信機によって検出されるとき、レートマッチング状態は、出力信号ｅｋを送信しているモバイルネットワークの移動ネットワーク状態をさらに識別するために利用されうる。１つの特定の例では、図５で以下にさらに記述されるように、信号プロセッサ４１４は、信号ｗｋを出力信号ｅｋにレートマッチングする際、１以上のネットワーク関連のパラメータと相関する１以上のデータオフセットを導入することができる。
【００６５】
図５は、ブロードキャストデータストリームの修正されたレートマッチングを経て送信アンテナ状態を伝達するレートマッチング装置５０２を含むシステム例５００のブロック図を示す。レートマッチング装置５０２は、循環バッファ５０４から符号化された（例えば、図４について上述されるように生成された）ブロードキャストストリームｗｋを受信することができる。符号化されたブロードキャストストリームは、信号プロセッサ５０６で受信される。マッピングモジュール５０８は、１以上のデータオフセットＱ０、Ｑ１、…、Ｑｎ（ここで、ｎは正の整数）を採用することができ、それらのデータオフセットを符号化されたブロードキャストストリームまたは出力ストリームｅｋに導入することができる。
【００６６】
例えば、データオフセットＱ０、Ｑ１、…、Ｑｎは、符号化されたブロードキャストストリームの相違するビット（例えば、第１ビット、第２ビット、…、第ｎのビット）、または、出力ストリームの異なるリソース（例えば第１リソース、第２リソース、…、第ｎリソース）を表すことができる。
【００６７】
シーケンスモジュール５１６は、マッピングモジュール５０８によって導入されるデータオフセット５１０を利用している出力信号ｅｋに、ブロードキャスト信号ｗｋのビットをマッピングすることができる。このようなやり方で、少なくとも１つのオフセット状態を、出力信号に符号化することができる。そのようなマッピングを、様々なメカニズムによって達成することができる。例えば、オフセット５１０が符号化されたブロードキャストストリームの相違するビットに関するとき、複数のビットのうちの１つのビットを出力ストリームの第１リソースにマッピングすることは、ｎオフセット状態のうちの１つを伝達することができる。オフセット５１０が符号化されたブロードキャストストリームの相違するリソースに関するとき、符号化されたストリームの第１ビットを出力ストリームのリソースのうちの１つにマッピングすることはまた、ｎオフセット状態のうちの１つを伝達することができる。前述に加えて、符号化されたブロードキャストストリームのオフセットビットと出力ストリームのオフセットリソースとの組み合わせは、（例えば、符号化されたブロードキャストストリームのｎビットのうちの１つを出力ストリームのｎリソースのうちの１つにマッピングすることによって）ｎ２オフセット状態を十分に提供するために採用されうる。ここに記述されるように、これらのオフセット状態は、ネットワーク状態に相関することができ、受信信号の特定のオフセット状態を復号化することによってネットワーク状態の識別を可能にする。ネットワーク状態と同様にデータオフセットＱ０、Ｑ１、…、Ｑｎ ５１０およびそれらの相関は、メモリ５１２に記憶されうる。さらに、レートマッチング種類フラグは、レートマッチング装置５０２によって利用されるレートマッチング修正の種類（例えば、符号化されたストリームオフセット、出力ストリームオフセット、またはそれらの組合せ）を示すことができる。
【００６８】
上述の１つの態様では、シーケンスモジュール５１６は、以下の式に従う出力信号に、符号化されたブロードキャストチャネルのビットをマッピングすることによって、データオフセット５１０を実装することができる。
【数９】
2010538586.tif 000013
【００６９】
さらに、シーケンスモジュール５１６は、（例えば、上記、図３で記述されたように）出力信号ｅｋを信号パーサー５１４によって生成された無線信号のリソースにマッピングすることができる。そのような信号を受信デバイスに提供するために、無線信号が、基地局、無線アクセスポイント、または同種のものによって送信されうる。受信信号を復号化し、信号に符号化されたレートマッチング状態を識別することによって、受信デバイスは識別されたレートマッチング状態にマッピングされたネットワーク状態を決定することができる。送信アンテナ構成のブラインド復号化では、例えば、この手法は、送信アンテナ構成の正確な決定を改善することができ、ＭＩＭＯの効率的な利用および他のマルチアンテナ能力を可能にする。
【００７０】
図６は、無線信号を得て、信号によって伝達されたシステム構成情報を復号化するように構成されるサンプルユーザ端末（ＵＴ）のブロック図６００を表す。特に、ＵＴ６０２は、信号のブロードキャストリソースにブロードキャストデータを符号化するために利用される修正されたレートマッチング状態を識別することができる。修正されたレートマッチング状態を識別することによって、システムの状態（例えば、送信しているアンテナの数）が決定されうる。
【００７１】
一般的に、ＵＴ６０２は１以上の遠隔トランシーバ６０４（例えば、アクセスポイント、基地局、ピアノード）で、無線で接続されるように構成されうる。従来から知られるように、ＵＴ６０２はＦＬチャネルでそのような１以上のトランシーバ６０４から無線信号を受信することができ、ＲＬチャネルで無線信号に応答することができる。ＵＴ６０２は、信号（例えば、無線メッセージ）を受信する少なくとも１つのアンテナ６０６（例えば、送受信機または入力インターフェースを含むそのような受信機のグループ）と、受信信号に典型的な動作（例えば、フィルタする、増幅する、ダウンコンバートするなど）を行う１以上の受信機６０８とを含む。一般的に、アンテナ６０６と送信機６２８（まとめてトランシーバと呼ばれる）とは、遠隔トランシーバ６０４との無線データ交換を円滑にするように構成されうる。
【００７２】
アンテナ６０６と１以上の受信機６０８とはまた、受信シンボルを復調することができ、かつ評価のために処理回路６１２にそれらを提供することができる復調器６１０に接続されうる。処理回路６１２は、ＵＴ６０２の１以上のコンポーネント（６０６、６０８、６１０、６１４、６１６、６１８、６２０、６２２、６２４、６２６、６２８）を参照しおよび／または制御できることを理解すべきである。さらに、処理回路６１２は、モバイル端末６０２の機能を実行することに関係する制御または情報を含む１以上のモジュール、アプリケーション、エンジン、または同種のもの（６１６、６２０、６２２、６２４）を実行することができる。例えば、そのような機能は、受信した無線信号を復調すること、信号の１以上の修正されたレートマッチング状態を識別すること、１以上の状態をシステム状態情報と相関付けること、そのようなシステム状態情報に従うＵＴ６０２の他のコンポーネントを構成することを含むことができる。
【００７３】
モバイル端末６０２は、処理回路６１４に動作可能に接続されるメモリ６１６をさらに含むことができる。メモリ６１６は、１以上の遠隔トランシーバ６０４と無線通信を実施するのに適した命令と、受信され、送信されるべきデータと、および似たようなデータとを記憶することができる。さらに、メモリ６１６は、（上記の）処理回路６１４によって実行されるモジュール、アプリケーション、レファレンス、エンジンなど（６１４、６１８、６２０、６２２）を記憶することができる。
【００７４】
さらに、ＵＴ６０２は、受信した無線信号を経て送信されるブロードキャストデータを分析することができる受信機モジュール６１６を含むことができる。受信機モジュール６１６は、メモリ６１４に記憶されたルールマップ６１８によって定義されるように、そのようなデータの１以上の状態をさらに決定することができる。ここに記述されるように、ルールマップ６１８は、無線信号のリソースにマッピングされるデータのレートマッチング状態を識別することを円滑にする命令を含むことができる。例えば、ルールマップ６１８は、無線信号リソースへのブロードキャストデータストリームのマッピングに導入されたデータオフセットの識別を円滑にすることができる。加えて、ルールマップ６１８は、異なったレートマッチング状態とネットワークシステム状態との間の相関を含むことができる。それゆえ、例えば、１以上のデータオフセット状態は、無線信号を送信するために利用される送信アンテナの数と相関することが可能である。受信機モジュール６１６によって決定されるデータオフセット状態は、それによって適切なネットワーク状態（例えば、４本の送信アンテナ構成）を確認することができる相関モジュール６２０によって、ルールマップ６１８と比較されうる。一旦適切なネットワーク状態が決定されるならば、構成モジュール６２４は、決定されたネットワーク状態に対応する、ＵＴ６０２のコンポーネントを調節する（ここでは有益である）ことができる。そのような配置は、既存のネットワーク状態をより速く決定し、ＵＴ６０２とトランシーバ６０４との間の均一かつ一貫性のある通信を提供する結果を得ることができる。それゆえ、特定の例として、構成モジュール６２４は、相関モジュール６２０で決定される１本、２本、４本の送信アンテナ構成に適するように復調器６１０、受信機６０８および／またはアンテナ６０６を調節することができる。
【００７５】
本開示のいくつかの態様に従って、ＵＴ６０２は、受信した無線信号の一部、または、付加的な無線信号の一部からルールマップ６１８を得る参照モジュール６２２をさらに含むことができる。例えば、ネットワークは、レートマッチング−ネットワーク状態関係のようなものに関する時間変化する態様を提供するため、または付加的なネットワーク状態を含むために、ネットワーク状態とレートマッチング状態との関係を更新することができた。さらに、ネットワークは、（例えば、符号化されたストリームに関して、出力ストリームのリソースに関して、または両方に関して、データオフセットを採用する）レートマッチング状態を生成するために利用されるメカニズムを更新することができた。それゆえ、上述の理由、他の理由、またはそのような理由の組合せのために、ネットワークは、新しいまたは更新されたルールマップ（６１８）を、ネットワーク（６０４）によって供給されるいくつかまたは全ての端末に送信することができる。いくつかの場合では、新しい／更新されたルールマップ（６１８）は、全ての端末へのブロードキャスト送信を備えて含まれうる。その他の場合では、そのようなルールマップ（６１８）は、適格な（qualifying）端末または安全な（secure）端末にユニキャストされうる。
【００７６】
図７は、移動ネットワーク環境における改善された通信を円滑にするサンプル基地局７０２を含むシステム７００のブロック図を示す。主題開示の少なくとも１つの態様では、基地局７０２はブロードキャストデータストリームの対応するレートマッチング状態を利用しているモバイルネットワーク状態を伝達することができる。そのようなやり方で、モバイルネットワーク状態は、無線信号の既存のブロードキャストチャネルリソースを利用して識別されうる。従って、本開示の少なくともいくつかの態様では、システム７００は、基地局（７０２）の１以上の送信アンテナ７０８の構成状態の改善されたブラインド復号化を円滑にすることができる。
【００７７】
基地局７０２（例えば、アクセスポイント、…）は、複数の受信アンテナ７０６を通して１以上のユーザ端末７０４から１以上の信号を受信する受信機７１０と、１以上の送信アンテナ７０８を通して１以上のＵＴ７０４に、変調器７２６によって提供された変調信号を送信する送信機７２８とを含む。受信機７１０は、受信アンテナ７０６から情報を受信することができ、１以上のＵＴ７０４によって送信されたアップリンクデータを受信する信号受け手（signal recipient）（図示せず）をさらに含むことができる。さらに、受信機７１０は受信した情報を復調する復調器７１２と動作可能に関連する。復調されたシンボルは、送信のために変調器７３０にシンボルも提供するプロセッサ７１４によって分析される。プロセッサ７１４は、基地局７０２で提供される機能に関する情報を記憶するメモリ７１６に接続される。１つの例では、記憶された情報は、モバイルデバイス７０４との無線通信の性能指標を決定しおよび／または得るためのプロトコルを含むことができる。特に、格納された情報は、無線信号のリソースにブロードキャストデータをマッピングするための区別可能な状態を確立すること、それらの状態をシステム状態と相関付けるすること、遠隔デバイス（７０４）にそのような信号を送信することに関するルールを含むことができる。
【００７８】
基地局７０２は、無線信号を複数のリソースに分割することができる信号パーサー７１８をさらに含む。信号プロセッサ７１８は、基地局７０２によってリソースのサブセットに送信すべきデータをマッピングすることができる。加えて、信号プロセッサ７１８は、リソースのサブセットにデータのマッピングを採用することによって、無線ネットワークシステム情報を伝達することができる。例えば、様々なマッピングまたはレートマッチング状態は、リソースのそのようなサブセットにデータをレートマッチングする際に実装されうる。レートマッチング状態は、無線ネットワークシステムの状態とさらに相関性がありうる。従って、リソースのサブセットに特定の状態をマッピングすることによって、特定のネットワークシステム状態はまた、信号で伝達されうる。本開示の少なくとも１つの態様では、ここに記述されるように、レートマッチング状態は、リソースのサブセットにデータをマッピングする際に導入されるデータオフセットでありえる。
【００７９】
前述の特定の例として、信号プロセッサ７２０は、送信された信号に１以上のデータオフセットを導入するためにマッピングモジュール７２２を採用することができる。マッピングモジュール７２２は、ネットワークシステムの相違する状態に関して、出力ストリームの相違するビット位置（例えば、リソース）に、データストリームの第１ビットを書き込むことができる。代替的に、または付加的に、マッピングモジュール７２２は、ネットワークシステムの相違する状態に関して、出力ストリームの第１ビット位置に、データストリームの相違するオフセットビット（例えば、第２ビット、第３ビットなど）を書き込むことができる。変調器７２６はその後、送信機７２８および１以上の送信アンテナ７０８によって送信に関する無線信号にビットを変調することができる。さらなる例として、信号プロセッサ７２０および／またはマッピングモジュール７２２は、１本の送信アンテナ（７０８）構成、２本の送信アンテナ（７０８）構成、４本の送信アンテナ（７０８）構成のそれぞれと対応する、３つの異なったデータオフセットＱ０、Ｑ１およびＱ２を採用することができる。さらに、信号プロセッサ７１８は、以下の式の少なくとも一部に基づいてデータストリームシーケンスからレートマッチング出力シーケンスを生成するために、シーケンスモジュールを採用することができる。
【数１０】
2010538586.tif 000014
【００８０】
（例えば、異なるデータオフセットを採用することによって）相違する状態に応じて出力ストリームを構成することによって、付加的な情報は、既存の信号リソースを利用している１以上のＵＴ７０４に伝達されうる。さらに、モバイルネットワークの１以上の状態は、そのようなネットワーク状態を出力ストリームの状態と相関付けることによって同じように伝達されうる。それゆえ、１つの例として、システム７００は１以上のＵＴ７０４により送信アンテナ構成の改善されたブラインド復号化を提供することができ、例えば、効果的なＭＩＭＯ通信を円滑にする。
【００８１】
上述のシステムは、いくつかのコンポーネント、モジュールおよび／または通信インターフェース間の相互作用に関して記述されている。そのようなシステムおよびコンポーネント／モジュール／インターフェースは、それらに指定されたサブコンポーネントまたはそれらのコンポーネント、一部の指定されたコンポーネントまたはサブコンポーネント、および／または付加的なコンポーネントを含むことができることを理解すべきである。例えば、システムは、レートマッチング装置３０２、ユーザ端末６０２、および基地局７０２、またはこれらおよび他のコンポーネントの相違する組合せを含んでもよい。サブモジュールはまた、親モジュール内に含まれるというよりはむしろ、他のモジュールと通信可能に接続されるモジュールとして実装されてもよい。さらに、１以上のモジュールが、集約機能を提供している単一モジュールに結合されうることに留意すべきである。例えば、マッピングモジュール５０８は、符号化されたブロードキャストストリームにデータオフセットを導入し、単一モジュール経由で出力ストリームを生成することを円滑にするために、シーケンスモジュール４１６を含むことができ、またはその逆もしかりである。モジュールはまた、ここに特に記述されないが当業者によって知られている、１以上の他のモジュールと相互に作用することもできる。
【００８２】
その上、上に開示されたシステムおよび方法の様々な一部は、人工知能、機械学習、または知識またはルールに基づいたコンポーネント、サブコンポーネント、処理、手段、手順またはメカニズム（例えば、サポートベクタマシン、ニューラルネットワーク、エキスパートシステム、ベイジアン信念ネットワーク、ファジー理論、データ融合エンジン、分類器、…）から構成されてもよいし、または含んでもよい。そのようなコンポーネントは、とりわけ、およびここに既に記述されたものを加えて、効率的かつ知的であると同様に、より適応できるシステムおよび方法の一部をつくるために、それによって行なわれたあるメカニズムまたは処理を自動化することができる。
【００８３】
上述された一例となるシステムの観点から、開示された主題に従って実装されてもよい手順は、図８−１１のフローチャートに関してより良く理解されるだろう。説明の簡単化のため、手順が一連のブロックとして示され記述される一方、いくつかのブロックは、ここに表され記述されるものから他のブロックと相違する順番または同時に起こってもよいように、クレームされた主題は、ブロックの順番に限定されないことが了解され理解されるべきである。その上、図示された全てブロックが、ここに記述された手順を実装するために要求されるとは限らなくてもよい。加えて、ここに記述された手順は、そのような手順をコンピュータに転送しおよび移送することを容易にするための製造品に記憶されることができることをさらに理解すべきである。用語“製造品”は、用いられるように、任意のコンピュータ読み取り可能なデバイス、キャリアまたは記憶媒体と連結するデバイスからアクセス可能なコンピュータプログラムを含むように意図される。
【００８４】
図８は、ブロードキャストデータストリームの修正されたレートマッチングによってネットワーク状態を伝達するための手順例８００のフローチャートを表す。８０２では、方法８００は、多重リソースに無線信号を分割することができる。リソースは、時間に基づくリソース、周波数に基づくリソース、シンボルに基づくリソース、符号に基づくリソースなど、またはそれらの組合せでありうる。リソースは、そのようなリソースに（例えば、送信アンテナよる送信で）マッピングされるアナログおよび／またはデジタル情報を送信するために利用されうる。
【００８５】
８０４では、方法８００は、データストリームを無線信号のリソースにレートマッチングする際に、少なくとも１つの異なるデータ状態を採用することによって、無線ネットワークシステム情報を伝達することができる。１以上の異なるデータ状態は、ブロードキャストデータ、同期データ、取得または同期データ、トラフィックデータまたはそれらの組合せのために確保（reserve）されている無線信号のリソースとともに実装されたデータオフセットを含むことができる。本開示の少なくとも１つの態様では、１以上のデータ状態は、データストリームの１以上のオフセットビット（例えば、０＋Ｑビット、ここでＱは正の整数である）を無線信号の第１リソースにマッピングすることを含むことができ、その逆もしかりである。いくつかの態様では、オフセットデータストリームビットとオフセット信号リソースとの組合せは、付加的な状態を導入するために採用されうる。ネットワークシステムの状態を１以上の異なったデータ状態に相関付けることによって、ネットワーク情報は、リソースの既存の配置を採用して送信されうる。それゆえ、ここに記述されるように実質的な利益は、例えば、遠隔端末でのブラインド復号化送信アンテナ構成が提供されうる。
【００８６】
図９は、ブロードキャストデータストリームの修正されたレートマッチングを経た送信アンテナ構成をブロードキャストする手順例９００のフローチャートを示す。９０２では、方法９００は、無線信号のリソースに、ブロードキャストデータをレートマッチングすることに関する１以上のデータオフセットを生成することができる。データオフセットは、ブロードキャストデータストリームに関連し得て、無線信号のリソースに関連し得て、または両方に関連しうる。各データオフセットは、無線信号において異なるデータオフセット状態を提供することができる。９０４では、方法９００は、異なる送信アンテナ構成状態をデータオフセット状態に相関付けることができる。９０６では、データストリームのビットは、出力ストリームのビット位置にマッピングされうる。９０８では、入力オフセットまたは出力オフセットが利用されるかどうかに関して決定がなされる。例えば、決定は、記憶されたレートマッチングパラメータに関してなされうる。入力オフセットである場合、方法９００は９１０に進むことができ、そうでなければ、方法９００は９１２に進むことができる。
【００８７】
９１０では、方法９００はデータストリームのオフセットビットを出力ストリームの第１ビット位置にマッピングする。それゆえ、例えば、０の＋第Ｑビット（ここでＱは正の整数である）は、第１ビット位置にマッピングされる。従って、Ｑの各値は、出力ストリームの異なる状態を提供する。９１２では、方法９００は、出力ストリームのオフセットビット位置に、データストリームの第１ビットを代わりにマッピングする。それゆえ、例えば、第１ビットは、０＋第Ｊビット位置にマッピングされうる。ここで、Ｊは正の整数である。それゆえ、Ｊの各値も、出力ストリームの異なる状態を提供する。
【００８８】
９１４では、方法９００は無線信号に出力ストリームを変調することができる。信号は、遠隔端末デバイスに送信されうる。いくつかの態様では、無線信号または関連した信号は、１以上のデータオフセット状態と１以上のネットワーク構成状態と間の相関を提供することができる。従って、無線信号を復調して、１以上のデータオフセット状態を識別することができる無線端末は、相関した１以上のネットワーク構成状態を識別することもできる。
【００８９】
現在の信号リソースが利用されうるので、方法９００は、ネットワーク状態情報を伝達することに関してかなりの利点を提供する。無線信号は、状態情報を伝達するためにネットワークの他の機能によって利用されるリソースを割り当てる必要はない。
【００９０】
図１０は、修正されたレートマッチングを識別しおよび受信機で送信システム状態を抽出するための手順例１０００のフローチャートを表す。１００２では、方法１０００は、無線信号のリソースにおいて異なるデータ状態を識別することができる。状態は、送信に適した出力ストリームにデータストリーム（例えば、ブロードキャストデータ、ユニキャストデータ、同期／取得データ、制御データ、トラフィックデータ、その他を含む）をレートマッチングすることに関しうる。ここに記述されるように、データ状態は、データストリームを出力ストリームにレートマッチングする際に１以上のデータオフセットを採用することにより生成しうる。
【００９１】
１００４では、方法１０００は、１以上のデータ状態と１以上のネットワーク状態とを相互に関連づけるルールマップに、異なるデータ状態をマッピングすることにより、ネットワーク情報を確認することができる。それゆえ、例えば、特定のデータオフセット状態が参照番号１００２で識別される場合（例えば、データストリームの第０ビットが出力ストリームの第０ビット位置にマッピングされる、Ｑ０状態）、ルールマップは、１以上の特定のシステム状態が、識別されたデータオフセット状態と関連しているかどうかを決定するために参照付けられうる。もしそうならば、付加的な信号は、１以上の特定のシステム状態に関連したパラメータに基づいて、分析、変調、調整などがされうる。さらに、異なるデータ状態としてデータオフセットを採用することによって、重要な状態区別は、受信デバイスで提供され得て、１以上のシステム状態が適切に復号化される大きな可能性をもたらす。それゆえ、方法１０００は一般的に、無線通信の信頼性を改善することができる。
【００９２】
図１１は、復調されたデータストリームにおけるデータオフセットを識別することを経た、送信アンテナ構成のブラインド復号化に関する手順例１１００のフローチャートを示す。１１０２では、方法１１００は、受信した無線信号のリソースにおいてデータオフセットを識別することができる。１１０４では、方法１１００は、ネットワークシステム状態をデータオフセット状態に相関付けるルールマップにアクセスすることができる。１１０６では、方法１１００は、データオフセットとルールマップとに基づいた送信アンテナ構成情報を付加的に得ることができる。あるいは、１１０８では、方法１１００は、ネットワークの基地局によって利用される（例えば、ＭＩＭＯシステムに関連した）送信アンテナの数を得ることができる。１１１０では、方法１１００は、アンテナ構成／送信アンテナの数に従って、受信機を構成することができる。従って、受信機は、方法１１００を採用することによって、様々なネットワークシステム構成を備える均一かつ同種の通信のために構成されうる。
【００９３】
図１２は、ここに開示されるいくつかの態様に従う無線通信を円滑にすることができるシステム例１２００のブロック図を表す。ダウンリンクに関して、アクセスポイント１２０５では、送信（ＴＸ）データプロセッサ１２１０は、トラフィックデータを受信し、フォーマットし、符号化し、および変調し（またはシンボルマッピングし）、変調シンボル（“データシンボル”）を提供する。シンボル変調器１２１５は、データシンボルとパイロットシンボルとを受信して処理し、シンボルのストリームを提供する。シンボル変調１２１５は、データとパイロットシンボルとを多重化して、それらを送信機ユニット（ＴＭＴＲ）１２２０に提供する。各送信シンボルは、データシンボル、パイロットシンボルまたはゼロの信号値でありうる。パイロットシンボルは、各シンボル期間に連続的に送られうる。パイロットシンボルは、周波数分割多重（ＦＤＭ）、直角周波数分割多重（ＯＦＤＭ）、時分割多重（ＴＤＭ）、符号分割多重（ＣＤＭ）、またはそれらの適切な組合せ、あるいは、変調および／または送信手法のようなものの組み合わせでありうる。
【００９４】
ＴＭＴＲ１２２０は、シンボルのストリームを１以上のアナログ信号に受信して変換し、無線チャネルでの送信に適したダウンリンク信号を生成するために、アナログ信号をさらに調整する（例えば、増幅し、フィルタし、周波数アップコンバートする）。ダウンリンク信号はその後、端末にアンテナ１２２５を通通じて送信される。端末１２３０では、アンテナ１２３５はダウンリンク信号を受信し、受信機ユニット（ＲＣＶＲ）１２４０に受信信号を提供する。受信機ユニット１２４０は、受信信号を調整し（例えば、フィルタし、増幅し、周波数ダウンコンバートする）、サンプルを得るために、調整された信号をデジタル化する。シンボル復調器１２４５は、チャネル推定のために受信したパイロットシンボルをプロセッサ１２５０に復調して提供する。シンボル復調器１２４５はさらに、プロセッサ１２５０からダウンリンクに関する周波数応答推定を受信し、（送信されたデータシンボルの推定である）データシンボル推定を得るために受信したデータシンボルでデータ復調を行い、送信されたトラフィックデータを再生するためにデータシンボル推定を復調し（すなわち、シンボルデマッピング）、デインタリーブし、復号化するＲＸデータプロセッサ１２５５にデータシンボル推定を提供する。シンボル復調器１２４５とＲＸデータプロセッサ１２５５とによる処理は、アクセスポイント１２０５で、シンボル変調器１２１５とＴＸデータプロセッサ１２１０とによる処理と、それぞれ補完的である。
【００９５】
アップリンクに関して、ＴＸデータプロセッサ１２６０は、トラフィックデータを処理して、データシンボルを提供する。シンボル変調器１２６５は、パイロットシンボルでデータシンボルを受信して多重化し、変調を行い、シンボルのストリームを提供する。送信機ユニット１２７０はその後、アンテナ１２３５によってアクセスポイント１２０５に送信されるアップリンク信号を生成するためにシンボルのストリームを受信して処理する。具体的に、ここに記述されるように、アップリンク信号はＳＣ−ＦＤＭＡ条件に従うことができ、周波数ホッピングメカニズムを含むことができる。
【００９６】
アクセスポイント１２０５では、端末１２３０からのアップリンク信号は、アンテナ１２２５によって受信され、サンプルを得るために受信機ユニット１２７５によって処理される。シンボル復調器１２８０はその後、サンプルを処理し、受信したパイロットシンボルとデータシンボル推定とをアップリンクに提供する。ＲＸデータプロセッサ１２８５は、端末１２３０によって送信されたトラフィックデータを再生するために、データシンボル推定を処理する。プロセッサ１２９０は、アップリンクで送信しているアクティブ端末ごとに、チャネル推定を行う。パイロットサブバンドセットはインターレースでありうる場合、複数の端末は、パイロットサブバンドのそれらの個別に割り当てられたセットでのアップリンクで、パイロットが同時に送信される。
【００９７】
プロセッサ１２９０と１２５０とは、アクセスポイント１２０５と端末１２３０とのそれぞれで、動作を指示する（例えば、制御する、調整する、管理するなど）。プロセッサ１２９０と１２５０とのそれぞれは、プログラムコードとデータとを記憶するメモリユニット（図示せず）と関連しうる。プロセッサ１２９０と１２５０とはまた、アップリンクとダウンリンクとに関する周波数およびインパルス応答推定を導出するために、それぞれ計算を行うことができる。
【００９８】
多重接続システム（例えばＳＣ−ＦＤＭＡ、ＦＤＭＡ、ＯＦＤＭＡ、ＣＤＭＡ、ＴＤＭＡなど）のために、複数の端末は、アップリンクで同時に送信することができる。そのようなシステムのために、パイロットサブバンドは、相違する端末の間で共有されうる。チャネル推定手法は、各端末用のパイロットサブバンドが全ての動作帯域にわたる場合（場合により、バンド端を除いて）に用いられうる。そのようなパイロットサブバンド構造は、各端末用の周波数ダイバーシティを得るために望ましいだろう。ここに記述される手法は、様々な手段で実装されることができる。例えば、ここに記述されるように、これらの手法は、ハードウェア、ソフトウェアまたはそれらの組合せで実装されうる。ソフトウェアコードは、物理メモリ（表されず）または仮想メモリに記憶されうり、プロセッサ１２９０と１２５０とによって実行されうる。
【００９９】
図１３と１４とは、主題開示の修正されたレートマッチング手法を利用しているネットワークシステム情報を、それぞれ、伝達し、復号化するシステム例１３００、１４００のブロック図を表す。例えば、システム１３００、１４００は、無線通信ネットワークの範囲内で、および／または、ノード、基地局、アクセスポイント、または同種のもののような送信機の範囲内で、少なくとも部分的に存在することができる。システム１３００、１４００は、プロセッサ、ソフトウェア、またはそれらの組合せ（例えば、ファームウェア）によって実装される機能を表す機能ブロックでありうる、機能ブロックを含むものとして表されることを理解すべきである。
【０１００】
特にシステム１３００を参照すると、無線信号を分割するための第１モジュール１３０２が提供される。モジュールは、複数の信号リソースを提供するために、様々な時間、周波数、コード、シンボルなどの無線信号の区分を採用することができる。各リソースは、無線で情報を送るために利用されうる。さらに、リソースのグループは、トラフィック、制御、同期／取得、または同様の情報、またはそれらの組み合わせのカテゴリーに割り当てられうる。従って、受信デバイスはそのようなグループ（例えば、制御チャネル情報は、制御チャネル情報などに割り当てられたリソースのグループを分析することによってアクセスされうる）に関連したカテゴリーを備える情報を見つけるために、データの予め定められたグループを分析することができる。
【０１０１】
さらに、システム１３００は、ネットワーク情報を伝達するためにデータオフセット状態を採用するための第２モジュール１３０４を含む。モジュール１３０４は、無線信号の１以上のリソースにマッピングするために適した出力ストリームにデータの符号化されたストリームをレートマッチングすると共に、データオフセット状態を実装することができる。無線信号が、上記レートマッチング基づいてネットワーク状態を本質的に伝達することができるように、データオフセット状態はネットワークの状態とさらに相関しうる。それゆえ、システム情報は、既存の制御、取得およびトラフィックデータへの影響を最小にするために、信号リソースの既存の割り当てを利用して伝達されることができる。
【０１０２】
システム１４００に関して、第１モジュール１４０２は、受信した無線信号においてデータオフセット状態を識別するために提供される。モジュールは、受信信号の復調されたデータストリームからオフセット状態を識別するための命令を含むルールマップを採用することができる。さらに、第２モジュール１４０４は、オフセット状態をシステム情報に相関付けるために提供される。それゆえ、例えば、モジュール１４０４は、ネットワーク構成状態とオフセット状態とを関係づけることもできる上記のルールマップを含むことができる。主題開示のいくつかの態様では、モジュール１４０４はまた、無線信号または関連した信号（例えば、システム１４００と関連した受信機デバイスに送信されるユニキャストメッセージ）から更新されたルールマップを得ることができる。従って、ネットワーク状態−オフセット状態における変化および／またはオフセット状態を識別するための命令が得られ、システム１４００に関連したメモリに記憶されうる。
【０１０３】
前記に加えて、システム１４００は、システム状態を確認するために第３モジュール１４０６を含むことができる。そのようなモジュール１４０６は、第１モジュール１４０２によって得られたデータオフセットを利用することができ、データオフセットに関連したシステムネットワーク状態を識別するために、第２モジュール１４０６に参照付けることができる。さらに、モジュール１４０６は、識別されたシステム状態に適したパラメータに従って動作するために、システム１４００（または例えば、システム１４００と関連した受信デバイス）に関連した無線受信コンポーネントを構成することができる。それゆえ、システム１４００は、異なるモバイルネットワーク状態に関して均一かつ同種の無線通信を円滑にすることができる。
【０１０４】
上述されていることは、要求された主題の態様の例を含む。もちろん、要求された主題を記述している目的のためにコンポーネントまたは手順の考えられる限りの組み合わせを記述することは不可能だが、当業者は、多くのさらなる組み合わせおよび置換が可能であることを認識することができる。従って、開示された主題は、添付の特許請求の範囲および精神内に含まれる全てのそのような改変、修正、および変形を含むことを意図する。その上、用語“含む”“有する”または“有している”が詳細な説明かそれとも特許請求の範囲において用いられる限りは、そのような用語は、特許請求の範囲での移行的な単語として採用されるとき「具備する」が解釈されるように、用語「具備する」と同様のやり方で包含的であることを目的とする。
【図１】
2010538586.tif 000019
【図２】
2010538586.tif 000020
【図３】
2010538586.tif 000021
【図４】
2010538586.tif 000022
【図５】
2010538586.tif 000023
【図６】
2010538586.tif 000024
【図７】
2010538586.tif 000025
【図８】
2010538586.tif 000026
【図９】
2010538586.tif 000027
【図１０】
2010538586.tif 000028
【図１１】
2010538586.tif 000029
【図１２】
2010538586.tif 000030
【図１３】
2010538586.tif 000031
【図１４】
2010538586.tif 000032
【手続補正書】
【提出日】平成22年6月24日(2010.6.24)
【手続補正１】
【補正対象書類名】明細書
【補正対象項目名】００４８
【補正方法】変更
【補正の内容】
【００４８】
調整された出力ストリーム３０４Ｂのリソースは、無線信号を複数のリソースに分割する信号パーサー３０６によって提供されうる。リソースは、特定の通信ネットワーク（例えば、ＣＭＤＡまたはＣＤＭＡ２００、ＬＴＥ、ＧＳＭ、ＵＭＴＳなど）に適合するように、時間、周波数または符号分割、それらのサブ分割、または前述の組合せなどを含むことができる。信号プロセッサ３０８は、信号パーサー３０６によって提供される無線信号のリソースに符号化されたビットストリームをマッピングすることができる。典型的ベースラインマッピングでは、符号化されたストリームの第１トーン／コード／ビット３０４Ａは、無線信号の第１リソースにマッピングされ、後に続く符号化されたストリームのビット３０４Ａは、無線信号の連続的なリソースにマッピングされる。いくつかの場合、データストリームは、リソースが部分的にまたは全体的に非連続であるかどうかに関わらず、トラフィックの種類に割り当てられる無線信号のリソースだけにマッピングされる。それゆえ、例えば、データストリームが取得データまたは同期データを含む場合、信号プロセッサ３０８は、取得データおよび同期データに割り当てられる無線信号のリソースにトーン／コード／ビットをマッピングすることができ、そのようなデータに割り当てられないリソースをスキップすることができる。別の例として、データストリームが制御チャネル情報を含む場合、信号プロセッサ３０８は、制御チャネル情報に割り当てられる無線信号のリソースにトーン／コード／ビットをマッピングすることができ、マッピングで非制御チャネルリソースをスキップするなどできる。
【手続補正２】
【補正対象書類名】明細書
【補正対象項目名】００４９
【補正方法】変更
【補正の内容】
【００４９】
修正されたレートマッチングでは、信号プロセッサ３０８は、際立った手法で上述の基本的なマッピングから離れる。修正されたマッピングは、ネットワークの状態にマッピングされうる（例えば、送信アンテナ構成、位置、方向性、数など）いくつかの状態を含むことができる。異なるマッピングされた状態を識別することによって、受信機は高い可能性で特定のネットワーク状態を決めることができる。
【手続補正３】
【補正対象書類名】明細書
【補正対象項目名】００７７
【補正方法】変更
【補正の内容】
【００７７】
基地局７０２（例えば、アクセスポイント、…）は、複数の受信アンテナ７０６を通して１以上のユーザ端末７０４から１以上の信号を受信する受信機７１０と、１以上の送信アンテナ７０８を通して１以上のＵＴ７０４に、変調器７２６によって提供された変調信号を送信する送信機７２８とを含む。受信機７１０は、受信アンテナ７０６から情報を受信することができ、１以上のＵＴ７０４によって送信されたアップリンクデータを受信する信号受け手（signal recipient）（図示せず）をさらに含むことができる。さらに、受信機７１０は受信した情報を復調する復調器７１２と動作可能に関連する。復調されたシンボルは、送信のために変調器７２６にシンボルも提供するプロセッサ７１４によって分析される。プロセッサ７１４は、基地局７０２で提供される機能に関する情報を記憶するメモリ７１６に接続される。１つの例では、記憶された情報は、モバイルデバイス７０４との無線通信の性能指標を決定しおよび／または得るためのプロトコルを含むことができる。特に、格納された情報は、無線信号のリソースにブロードキャストデータをマッピングするための区別可能な状態を確立すること、それらの状態をシステム状態と相関付けるすること、遠隔デバイス（７０４）にそのような信号を送信することに関するルールを含むことができる。
【手続補正４】
【補正対象書類名】明細書
【補正対象項目名】００７８
【補正方法】変更
【補正の内容】
【００７８】
基地局７０２は、無線信号を複数のリソースに分割することができる信号パーサー７１８をさらに含む。信号パーサー７１８は、基地局７０２によってリソースのサブセットに送信すべきデータをマッピングすることができる。加えて、信号パーサー７１８は、リソースのサブセットにデータのマッピングを採用することによって、無線ネットワークシステム情報を伝達することができる。例えば、様々なマッピングまたはレートマッチング状態は、リソースのそのようなサブセットにデータをレートマッチングする際に実装されうる。レートマッチング状態は、無線ネットワークシステムの状態とさらに相関性がありうる。従って、リソースのサブセットに特定の状態をマッピングすることによって、特定のネットワークシステム状態はまた、信号で伝達されうる。本開示の少なくとも１つの態様では、ここに記述されるように、レートマッチング状態は、リソースのサブセットにデータをマッピングする際に導入されるデータオフセットでありえる。
【手続補正５】
【補正対象書類名】明細書
【補正対象項目名】００７９
【補正方法】変更
【補正の内容】
【００７９】
前述の特定の例として、信号プロセッサ７２０は、送信された信号に１以上のデータオフセットを導入するためにマッピングモジュール７２２を採用することができる。マッピングモジュール７２２は、ネットワークシステムの相違する状態に関して、出力ストリームの相違するビット位置（例えば、リソース）に、データストリームの第１ビットを書き込むことができる。代替的に、または付加的に、マッピングモジュール７２２は、ネットワークシステムの相違する状態に関して、出力ストリームの第１ビット位置に、データストリームの相違するオフセットビット（例えば、第２ビット、第３ビットなど）を書き込むことができる。変調器７２６はその後、送信機７２８および１以上の送信アンテナ７０８によって送信に関する無線信号にビットを変調することができる。さらなる例として、信号プロセッサ７２０および／またはマッピングモジュール７２２は、１本の送信アンテナ（７０８）構成、２本の送信アンテナ（７０８）構成、４本の送信アンテナ（７０８）構成のそれぞれと対応する、３つの異なったデータオフセットＱ０、Ｑ１およびＱ２を採用することができる。さらに、信号プロセッサ７２０は、以下の式の少なくとも一部に基づいてデータストリームシーケンスからレートマッチング出力シーケンスを生成するために、シーケンスモジュールを採用することができる。
【数１０】
2010538586.tif 000033
【国際調査報告】
2010538586.tif 000034
2010538586.tif 000035
2010538586.tif 000036